(57)【特許請求の範囲】
【請求項１】
それぞれネットワークを介して通信可能に接続されている配信サーバと、マスタ再生端末と、少なくとも１つのスレーブ再生端末とを備え、前記マスタ再生端末のディスプレイの画面と前記スレーブ再生端末のディスプレイの画面から構成されるマルチ画面に映像を表示する映像分割再生システムにおける映像分割再生方法において、
前記配信サーバが、
前記マルチ画面に表示するコンテンツ映像の符号化映像データと、前記マルチ画面を構成する前記マスタ再生端末と前記スレーブ再生端末の数である分割数とを、前記マスタ再生端末および前記スレーブ再生端末に送信するステップと、
前記マスタ再生端末が、
前記マルチ画面における前記スレーブ再生端末のディスプレイの画面の位置を前記スレーブ再生端末のそれぞれに対して割り当てられた固有の情報で表わすスレーブ再生端末識別子を、それぞれ対応する前記スレーブ再生端末に送信するステップと、
前記スレーブ再生端末が、
前記コンテンツ映像における一部の領域である選択領域を示す選択領域情報、前記スレーブ再生端末識別子および前記分割数に基づき、前記マルチ画面において当該スレーブ再生端末が表示を担当する領域を示すスレーブ再生領域情報を生成し、当該スレーブ再生領域情報および前記選択領域情報に基づき、前記符号化映像データのコンテンツ映像における選択領域のうち、当該スレーブ再生端末が表示を担当する領域を示すスレーブ再生領域値を算出するステップと、
前記マスタ再生端末が、
前記マルチ画面における前記マスタ再生端末のディスプレイの位置を示すマスタ再生端末識別子、前記選択領域情報および前記分割数に基づき、前記マルチ画面において当該マスタ再生端末が表示を担当する領域を示すマスタ再生領域情報を生成し、当該マスタ再生領域情報および前記選択領域情報に基づき、前記符号化映像データのコンテンツ映像における選択領域のうち、当該マスタ再生端末が表示を担当する領域を示すマスタ再生領域値を算出するステップと、
前記マスタ再生端末が、前記符号化映像データに基づき、前記マスタ再生領域値が示す領域のコンテンツ映像の一部を自身のディスプレイに表示するとともに、前記スレーブ再生端末が、前記マスタ再生端末の表示に同期して、前記符号化映像データに基づき、前記スレーブ再生領域値が示す領域のコンテンツ映像の一部を自身のディスプレイに表示するステップと、
を有することを特徴とする映像分割再生方法。
【請求項２】
前記マスタ再生端末は、
前記マルチ画面に表示している前記コンテンツ映像の選択領域を示す第１選択領域情報を異なる第２選択領域情報に変更することを示す情報を入力すると、当該第２選択領域情報を前記スレーブ再生端末に送信するとともに、当該第２選択領域情報、前記マスタ再生端末識別子および前記分割数に基づき前記マスタ再生領域情報を生成し、当該マスタ再生領域情報および前記第２選択領域情報に基づき前記マスタ再生領域値を算出するステップと、
前記スレーブ再生端末が、
前記マスタ再生端末から前記第２選択領域情報を受信すると、当該第２選択領域情報、前記スレーブ再生端末識別子および前記分割数に基づき前記スレーブ再生領域情報を生成し、当該スレーブ再生領域情報および前記第２選択領域情報に基づき前記スレーブ再生領域値を算出するステップと、
を有することを特徴とする請求項１に記載の映像分割再生方法。
【請求項３】
前記符号化映像データには、前記コンテンツ映像を再生する順番を映像の再生時間によって表わす再生時間情報が含まれており、
前記マスタ再生端末あるいは前記スレーブ再生端末は、
前記符号化映像データに基づき前記コンテンツ映像の一部を表示した場合、当該表示したコンテンツ映像の符号化映像データに対応する前記再生時間情報を送信するとともに、前記マスタ再生端末あるいは他の前記スレーブ再生端末から前記再生時間情報を受信した場合、前記受信した再生時間情報が示すタイミングに合わせるようにして各自の前記ディスプレイに前記コンテンツ映像を表示することを特徴とする請求項１あるいは２に記載の映像分割再生方法。
【請求項４】
前記マスタ再生端末は、
前記ディスプレイに表示している前記コンテンツ映像の選択領域を示す第１選択領域情報を異なる第２選択領域情報に変更することを示す情報が入力されたか否かを判定し、前記第１選択領域情報を入力した時点から第１指定時間経過前に前記第２選択領域情報を入力した場合、前記第１選択領域情報を送信した時点から前記第１指定時間経過後に前記第２選択領域情報を前記スレーブ再生端末に送信し、
前記ディスプレイに表示している前記コンテンツ映像の選択領域を示す第１選択領域情報を異なる第２選択領域情報に変更することを示す情報が入力されたか否かを判定し、前記第１選択領域情報を入力した時点から前記第１指定時間よりも長い第２指定時間以上経過した場合、前記第１選択領域情報を送信した時点から前記第２指定時間経過後に前記第１選択領域情報を前記スレーブ再生端末に送信することを特徴とする請求項１から３のうちいずれか一項に記載の映像分割再生方法。
【請求項５】
それぞれネットワークを介して通信可能に接続されている配信サーバ、メインディスプレイを備えるメイン再生端末、および、前記メインディスプレイと解像度が異なるサブディスプレイを備えるサブ再生端末、を備える映像再生システムにおける映像再生方法において、
前記配信サーバが、
コンテンツ映像の符号化映像データを前記メイン再生端末および前記サブ再生端末に送信するステップと、
前記メイン再生端末が、
前記コンテンツ映像における一部の領域である選択領域を示す選択領域情報の入力を受け付けるステップと、
前記メイン再生端末が、
前記選択領域情報を前記サブ再生端末に送信するステップと、
前記メイン再生端末が、
前記符号化映像データに基づき、前記選択領域情報が示す領域のコンテンツ映像の一部を前記メインディスプレイに表示するとともに、
前記サブ再生端末が、
前記メイン再生端末の表示に同期して、前記符号化映像データに基づき、前記選択領域情報が示す領域のコンテンツ映像の一部を前記サブディスプレイに表示するステップと、
を有することを特徴とする映像再生方法。
【請求項６】
それぞれネットワークを介して通信可能に接続されている配信サーバと、マスタ再生端末と、少なくとも１つのスレーブ再生端末とを備え、前記マスタ再生端末のディスプレイの画面と前記スレーブ再生端末のディスプレイの画面から構成されるマルチ画面に映像を表示する映像分割再生システムにおいて、
前記配信サーバは、
前記マルチ画面に表示するコンテンツ映像の符号化映像データと、前記マルチ画面を構成する前記マスタ再生端末と前記スレーブ再生端末の数である分割数とを、前記マスタ再生端末および前記スレーブ再生端末に送信する送信部を備え、
前記マスタ再生端末は、
前記マルチ画面における前記スレーブ再生端末のディスプレイの画面の位置を前記スレーブ再生端末のそれぞれに対して割り当てられた固有の情報で表わすスレーブ再生端末識別子を、それぞれ対応する前記スレーブ再生端末に送信する送信部と、
前記マルチ画面における前記マスタ再生端末のディスプレイの位置を示すマスタ再生端末識別子、前記コンテンツ映像における一部の領域である選択領域を示す選択領域情報および前記分割数に基づき、前記マルチ画面において当該マスタ再生端末が表示を担当する領域を示すマスタ再生領域情報を生成するとともに、当該マスタ再生領域情報および前記選択領域情報に基づき、前記符号化映像データのコンテンツ映像における選択領域のうち、当該マスタ再生端末が表示を担当する領域を示すマスタ再生領域値を算出し、前記符号化映像データに基づき、前記マスタ再生領域値が示す領域のコンテンツ映像の一部を自身のディスプレイに表示させるマスタ復号部と、を備え、
前記スレーブ再生端末は、
前記選択領域情報、前記スレーブ再生端末識別子および前記分割数に基づき、前記マルチ画面において当該スレーブ再生端末が表示を担当する領域を示すスレーブ再生領域情報を生成するとともに、当該スレーブ再生領域情報および前記選択領域情報に基づき、前記符号化映像データのコンテンツ映像における選択領域のうち、当該スレーブ再生端末が表示を担当する領域を示すスレーブ再生領域値を算出し、前記マスタ再生端末の表示に同期して、前記符号化映像データに基づき、前記スレーブ再生領域値が示す領域のコンテンツ映像の一部を自身のディスプレイに表示させるスレーブ復号部と、
を備えることを特徴とする映像分割再生システム。
【請求項７】
それぞれネットワークを介して通信可能に接続されている複数の再生端末を備え、前記再生端末のディスプレイの画面から構成されるマルチ画面に映像を表示する映像分割再生システムに用いられるコンピュータに、
前記マルチ画面に表示するコンテンツ映像の符号化映像データと、前記コンテンツ映像における一部の領域である選択領域を示す選択領域情報と、前記マルチ画面を構成する前記再生端末の数である分割数と、前記マルチ画面における自再生端末のディスプレイの位置を自再生端末のそれぞれに対して割り当てられた固有の情報で表わす再生端末識別子を受信するステップ、
前記選択領域情報、前記再生端末識別子および前記分割数に基づき、前記マルチ画面において自再生端末が表示を担当する領域を示す再生領域情報を生成し、当該再生領域情報および前記選択領域情報に基づき、前記符号化映像データのコンテンツ映像における選択領域のうち、自再生端末が表示を担当する領域を示す再生領域値を算出するステップ、
前記符号化映像データに基づき、前記再生領域値が示す領域のコンテンツ映像の一部を、他の再生端末の表示に同期して、自身のディスプレイに表示するステップ、
を実行させるための映像分割再生プログラム。
【発明の詳細な説明】
【技術分野】
【０００１】
本発明は、一つの映像を分割して複数の端末で再生する映像分割再生方法、映像再生方法、映像分割再生装置、及びプログラムに関するものである。
【背景技術】
【０００２】
複数の表示装置により一の画像を分割表示させる場合に、各表示装置の配置や数に応じて、適切な分割画像を作成して表示させるサーバ装置、表示装置及びその表示方法がある（例えば、特許文献１参照）。
【先行技術文献】
【特許文献】
【０００３】
【特許文献１】特開２００５−３０１１３１号公報
【発明の概要】
【発明が解決しようとする課題】
【０００４】
特許文献１の従来技術では、サーバ装置が各表示装置から受信した情報を基に、各表示装置に表示させるための分割画像作成処理を行っている。そのため、サーバの負荷が増大するという問題がある。
【０００５】
本発明は、このような事情を考慮してなされたものであり、その目的は、複数の表示装置により１つの画像を分割表示させる場合に、サーバの負荷を増大させること無く、また、各表示装置の配置や数に応じて、適切な分割画像を表示させることができる映像分割再生方法、映像再生方法、映像分割再生システム、及び映像分割再生プログラムを提供することにある。
【課題を解決するための手段】
【０００６】
上述の課題を鑑み、本発明に係る映像分割再生方法は、それぞれネットワークを介して通信可能に接続されている配信サーバと、マスタ再生端末と、少なくとも１つのスレーブ再生端末とを備え、前記マスタ再生端末のディスプレイの画面と前記スレーブ再生端末のディスプレイの画面から構成されるマルチ画面に映像を表示する映像分割再生システムにおける映像分割再生方法において、前記配信サーバが、前記マルチ画面に表示するコンテンツ映像の符号化映像データと、前記マルチ画面を構成する前記マスタ再生端末と前記スレーブ再生端末の数である分割数とを、前記マスタ再生端末および前記スレーブ再生端末に送信するステップと、前記マスタ再生端末が、前記マルチ画面における前記スレーブ再生端末のディスプレイの画面の位置を前記スレーブ再生端末のそれぞれに対して割り当てられた固有の情報で表わすスレーブ再生端末識別子を、それぞれ対応する前記スレーブ再生端末に送信するステップと、前記スレーブ再生端末が、前記コンテンツ映像における一部の領域である選択領域を示す選択領域情報、前記スレーブ再生端末識別子および前記分割数に基づき、前記マルチ画面において当該スレーブ再生端末が表示を担当する領域を示すスレーブ再生領域情報を生成し、当該スレーブ再生領域情報および前記選択領域情報に基づき、前記符号化映像データのコンテンツ映像における選択領域のうち、当該スレーブ再生端末が表示を担当する領域を示すスレーブ再生領域値を算出するステップと、前記マスタ再生端末が、前記マルチ画面における前記マスタ再生端末のディスプレイの位置を示すマスタ再生端末識別子、前記選択領域情報および前記分割数に基づき、前記マルチ画面において当該マスタ再生端末が表示を担当する領域を示すマスタ再生領域情報を生成し、当該マスタ再生領域情報および前記選択領域情報に基づき、前記符号化映像データのコンテンツ映像における選択領域のうち、当該マスタ再生端末が表示を担当する領域を示すマスタ再生領域値を算出するステップと、前記マスタ再生端末が、前記符号化映像データに基づき、前記マスタ再生領域値が示す領域のコンテンツ映像の一部を自身のディスプレイに表示するとともに、前記スレーブ再生端末が、前記マスタ再生端末の表示に同期して、前記符号化映像データに基づき、前記スレーブ再生領域値が示す領域のコンテンツ映像の一部を自身のディスプレイに表示するステップと、を有する。
【０００７】
上述の映像分割再生方法において、前記マスタ再生端末は、前記マルチ画面に表示している前記コンテンツ映像の選択領域を示す第１選択領域情報を異なる第２選択領域情報に変更することを示す情報を入力すると、当該第２選択領域情報を前記スレーブ再生端末に送信するとともに、当該第２選択領域情報、前記マスタ再生端末識別子および前記分割数に基づき前記マスタ再生領域情報を生成し、当該マスタ再生領域情報および前記第２選択領域情報に基づき前記マスタ再生領域値を算出するステップと、前記スレーブ再生端末が、前記マスタ再生端末から前記第２選択領域情報を受信すると、当該第２選択領域情報、前記スレーブ再生端末識別子および前記分割数に基づき前記スレーブ再生領域情報を生成し、当該スレーブ再生領域情報および前記第２選択領域情報に基づき前記スレーブ再生領域値を算出するステップと、を有する。
【０００８】
上述の映像分割再生方法において、前記符号化映像データには、前記コンテンツ映像を再生する順番を映像の再生時間によって表わす再生時間情報が含まれており、前記マスタ再生端末あるいは前記スレーブ再生端末は、前記符号化映像データに基づき前記コンテンツ映像の一部を表示した場合、当該表示したコンテンツ映像の符号化映像データに対応する前記再生時間情報を送信するとともに、前記マスタ再生端末あるいは他の前記スレーブ再生端末から前記再生時間情報を受信した場合、前記受信した再生時間情報が示すタイミングに合わせるようにして各自の前記ディスプレイに前記コンテンツ映像を表示することを特徴とする。
【０００９】
上述の映像分割再生方法において、前記マスタ再生端末は、前記マスタ再生端末は、前記ディスプレイに表示している前記コンテンツ映像の選択領域を示す第１選択領域情報を異なる第２選択領域情報に変更することを示す情報が入力されたか否かを判定し、前記第１選択領域情報を入力した時点から第１指定時間経過前に前記第２選択領域情報を入力した場合、前記第１選択領域情報を送信した時点から前記第１指定時間経過後に前記第２選択領域情報を前記スレーブ再生端末に送信し、前記ディスプレイに表示している前記コンテンツ映像の選択領域を示す第１選択領域情報を異なる第２選択領域情報に変更することを示す情報が入力されたか否かを判定し、前記第１選択領域情報を入力した時点から前記第１指定時間よりも長い第２指定時間以上経過した場合、前記第１選択領域情報を送信した時点から前記第２指定時間経過後に前記第１選択領域情報を前記スレーブ再生端末に送信することを特徴とする。
【００１０】
上述の課題を鑑み、本発明に係る映像再生方法は、それぞれネットワークを介して通信可能に接続されている配信サーバ、メインディスプレイを備えるメイン再生端末、および、前記メインディスプレイと解像度が異なるサブディスプレイを備えるサブ再生端末、を備える映像再生システムにおける映像再生方法において、前記配信サーバが、コンテンツ映像の符号化映像データを前記メイン再生端末および前記サブ再生端末に送信するステップと、前記メイン再生端末が、前記コンテンツ映像における一部の領域である選択領域を示す選択領域情報の入力を受け付けるステップと、前記メイン再生端末が、前記選択領域情報を前記サブ再生端末に送信するステップと、前記メイン再生端末が、前記符号化映像データに基づき、前記選択領域情報が示す領域のコンテンツ映像の一部を前記メインディスプレイに表示するとともに、前記サブ再生端末が、前記メイン再生端末の表示に同期して、前記符号化映像データに基づき、前記選択領域情報が示す領域のコンテンツ映像の一部を前記サブディスプレイに表示するステップと、を有する。
【００１１】
上述の課題を鑑み、本発明に係る映像再生システムは、それぞれネットワークを介して通信可能に接続されている配信サーバと、マスタ再生端末と、少なくとも１つのスレーブ再生端末とを備え、前記マスタ再生端末のディスプレイの画面と前記スレーブ再生端末のディスプレイの画面から構成されるマルチ画面に映像を表示する映像分割再生システムにおいて、前記配信サーバは、前記マルチ画面に表示するコンテンツ映像の符号化映像データと、前記マルチ画面を構成する前記マスタ再生端末と前記スレーブ再生端末の数である分割数とを、前記マスタ再生端末および前記スレーブ再生端末に送信する送信部を備え、前記マスタ再生端末は、前記マルチ画面における前記スレーブ再生端末のディスプレイの画面の位置を前記スレーブ再生端末のそれぞれに対して割り当てられた固有の情報で表わすスレーブ再生端末識別子を、それぞれ対応する前記スレーブ再生端末に送信する送信部と、前記マルチ画面における前記マスタ再生端末のディスプレイの位置を示すマスタ再生端末識別子、前記コンテンツ映像における一部の領域である選択領域を示す選択領域情報および前記分割数に基づき、前記マルチ画面において当該マスタ再生端末が表示を担当する領域を示すマスタ再生領域情報を生成するとともに、当該マスタ再生領域情報および前記選択領域情報に基づき、前記符号化映像データのコンテンツ映像における選択領域のうち、当該マスタ再生端末が表示を担当する領域を示すマスタ再生領域値を算出し、前記符号化映像データに基づき、前記マスタ再生領域値が示す領域のコンテンツ映像の一部を自身のディスプレイに表示させるマスタ復号部と、を備え、前記スレーブ再生端末は、前記選択領域情報、前記スレーブ再生端末識別子および前記分割数に基づき、前記マルチ画面において当該スレーブ再生端末が表示を担当する領域を示すスレーブ再生領域情報を生成するとともに、当該スレーブ再生領域情報および前記選択領域情報に基づき、前記符号化映像データのコンテンツ映像における選択領域のうち、当該スレーブ再生端末が表示を担当する領域を示すスレーブ再生領域値を算出し、前記マスタ再生端末の表示に同期して、前記符号化映像データに基づき、前記スレーブ再生領域値が示す領域のコンテンツ映像の一部を自身のディスプレイに表示させるスレーブ復号部と、を備える。
【００１２】
上述の課題を鑑み、本発明に係る映像分割再生プログラムは、それぞれネットワークを介して通信可能に接続されている複数の再生端末を備え、前記再生端末のディスプレイの画面から構成されるマルチ画面に映像を表示する映像分割再生システムに用いられるコンピュータに、前記マルチ画面に表示するコンテンツ映像の符号化映像データと、前記コンテンツ映像における一部の領域である選択領域を示す選択領域情報と、前記マルチ画面を構成する前記再生端末の数である分割数と、前記マルチ画面における自再生端末のディスプレイの位置を自再生端末のそれぞれに対して割り当てられた固有の情報で表わす再生端末識別子を受信するステップ、前記選択領域情報、前記再生端末識別子および前記分割数に基づき、前記マルチ画面において自再生端末が表示を担当する領域を示す再生領域情報を生成し、当該再生領域情報および前記選択領域情報に基づき、前記符号化映像データのコンテンツ映像における選択領域のうち、自再生端末が表示を担当する領域を示す再生領域値を算出するステップ、前記符号化映像データに基づき、前記再生領域値が示す領域のコンテンツ映像の一部を、他の再生端末の表示に同期して、自身のディスプレイに表示するステップ、を実行させるための映像分割再生プログラムであることを特徴とする。
【発明の効果】
【００１３】
本発明によると、複数の表示装置により１つの画像を分割表示させる場合に、サーバの負荷を増大させること無く、また、各表示装置の配置や数に応じて、適切な分割画像を表示させることができる。
【図面の簡単な説明】
【００１４】
【図１】本発明の実施形態に係る映像分割再生システムの構成の一例を示すブロック図である。
【図２】本実施形態に係る映像分割再生システムによって表示されるマルチ画面の一例を示す図である。
【図３】本発明の実施形態に係るコンテンツ映像の一例を示す図である。
【図４】本発明の実施形態に係る選択映像の一例を示す図である。
【図５】本発明の実施形態に係るマルチビュー再生ファイルの一例について説明するための図である。
【図６】本発明の実施形態に係る再生設定ファイルの一例について説明するための図である。
【図７】本発明の実施形態に係るマルチビュー再生ファイルテーブルの一例について説明するための図である。
【図８】本発明の実施形態に係る符号化映像データテーブルの一例について説明するための図である。
【図９】本発明の実施形態に係るスレーブ再生端末識別一覧情報の一例について説明するための図である。
【図１０】本発明の実施形態に係る再生領域情報と再生領域値を説明するための概念図である。
【図１１】本発明の実施形態に係るマルチ画面における再生担当領域の一例を説明するための概念図である。
【図１２】本発明の実施形態に係る映像分割再生システムによる処理について説明するためのシーケンス図である。
【図１３】本発明の実施形態に係る映像分割再生システムによる処理について説明するためのシーケンス図である。
【図１４】本発明の実施形態に係る映像分割再生システムの処理フローの一例について説明するためのフローチャートである。
【図１５】本発明の実施形態に係る映像分割再生システムの処理フローの一例について説明するためのフローチャートである。
【図１６】本発明の実施形態に係る映像分割再生システムの処理フローの一例について説明するためのフローチャートである。
【図１７】本発明の実施形態に係る映像分割再生システムの処理フローの一例について説明するためのフローチャートである。
【図１８】本発明の実施形態に係る映像分割再生システムの処理フローの一例について説明するためのフローチャートである。
【図１９】本発明の実施形態に係る映像分割再生システムの処理フローの一例について説明するためのフローチャートである。
【図２０】本発明の実施形態に係る映像分割再生システムの処理フローの一例について説明するためのフローチャートである。
【図２１】本発明の実施形態に係る映像分割再生システムの処理フローの一例について説明するためのフローチャートである。
【図２２】本発明の実施形態に係る映像分割再生システムの処理フローの一例について説明するためのフローチャートである。
【図２３】本発明の実施形態に係る選択領域情報の配信間隔の一例について説明するための図である。
【図２４】本発明の第２実施形態に係る映像分割再生システムの構成の一例を示すブロック図である。
【図２５】本発明の第２実施形態に係る映像分割再生システムによる処理について説明するためのシーケンス図である。
【図２６】本発明の第２実施形態に係る映像分割再生システムによる処理について説明するためのシーケンス図である。
【発明を実施するための形態】
【００１５】
［第１実施形態］
以下、本発明の一実施形態にかかる映像分割再生システムの一例について説明する。図１は、本実施形態にかかる映像分割再生システムの構成の一例を示すブロック図である。図２は、本実施形態に係る映像分割再生システムによって表示されるマルチ画面の一例を示す図である。このマルチ画面とは、複数のディスプレイの画面を組み合わせることによって形成される１つの画面のことである。
図１に示す本実施形態に係る映像分割再生システムは、図２に示す通り、各ディスプレイに表示する映像を制御することによって、複数のディスプレイによって構成されるマルチ画面に任意の映像を表示するシステムである。このマルチ画面は、図２に示す通り、例えば、１つのマスタ再生端末の表示部である第１ディスプレイＤ１の画面と、３つのスレーブ再生端末の表示部である第２ディスプレイＤ２、第３ディスプレイＤ３および第４ディスプレイＤ４のそれぞれの画面を含む。
【００１６】
本実施形態に係る映像分割再生システムは、このマルチ画面に、例えば、表示対象となるコンテンツ映像からユーザによって選択された一部の映像（以下、選択映像という）を表示するものであり、ユーザによって選択された部分が変更された場合、このユーザの操作に応じて、変更後の映像を表示するものである。
例えば、コンテンツ映像が、図３に示すようなスポーツ映像である場合、矩形状のアイコンによって指定された部分が選択映像である。図３に示すスポーツ映像は、サッカーの試合を撮影した映像であって、キッカーがゴールに向かってシュートをするシーンの映像である。本実施形態に係る映像分割再生システムは、この選択領域として、図４に示すような映像（例えば、キッカーとゴールキーパーの周辺の映像）をマルチ画面に表示するものである。
【００１７】
以下、映像分割再生システムの構成の一例について、図１に戻って、詳細に説明する。
図１に示す通り、本実施形態に係る映像分割再生システムは、配信サーバ２０と、マスタ再生端末４０と、スレーブ再生端末５０と、スレーブ再生端末６０と、スレーブ再生端末７０と、を備える。
【００１８】
配信サーバ２０と、マスタ再生端末４０と、スレーブ再生端末５０と、スレーブ再生端末６０と、スレーブ再生端末７０とは、ネットワーク（Ａ）３０を介して、それぞれ通信可能に接続されている。このネットワーク（Ａ）３０は、広範囲に接続されるネットワークを意味している。
【００１９】
本実施形態において、映像分割再生システムは、１台のマスタ再生端末４０と、少なくとも１台以上のスレーブ再生端末として３台のスレーブ再生端末５０、スレーブ再生端末６０、およびスレーブ再生端末７０とを含む。
マスタ再生端末４０は、第１ディスプレイＤ１を備える。スレーブ再生端末５０は、第２ディスプレイＤ２を備える。スレーブ再生端末６０は、第３ディスプレイＤ３を備える。スレーブ再生端末７０は、第４ディスプレイＤ４を備える。
【００２０】
マスタ再生端末４０は、スレーブ再生端末５０、スレーブ再生端末６０、およびスレーブ再生端末７０を支配（統括的に制御）し、スレーブ再生端末５０、スレーブ再生端末６０、およびスレーブ再生端末７０間での映像の再生制御を行う。
このマスタ再生端末４０は、スレーブ再生端末５０、スレーブ再生端末６０、およびスレーブ再生端末７０に対する映像の再生開始および停止を制御する。スレーブ再生端末５０、スレーブ再生端末６０、およびスレーブ再生端末７０は、このマスタ再生端末４０の制御に従って動作する。
また、マスタ再生端末４０は、ユーザからの操作入力を受け付け、ユーザによって指定された選択領域を示す情報に基づき、コンテンツ映像の領域うち選択映像の領域の位置を示す選択領域情報を生成し、スレーブ再生端末５０、スレーブ再生端末６０、およびスレーブ再生端末７０へ送信する。
【００２１】
マスタ再生端末４０、スレーブ再生端末５０、スレーブ再生端末６０、およびスレーブ再生端末７０は、マスタ再生端末４０によって生成された選択領域情報に基づいて、１つの符号化映像データ（例えば選択映像）を、各ディスプレイＤ１〜Ｄ４が再生すべき領域に分割して再生する。つまり、１つの符号化映像データ（例えば選択映像）を、マスタ再生端末４０、第１スレーブ再生端末５０、第２スレーブ再生端末６０、および第３スレーブ再生端末７０の各ディスプレイＤ１〜４の画面によって構成されるマルチ画面において表示する。なお、再生開始時（つまり、初期状態からの最初の再生時）においては、再生設定ファイルに予め記載されている選択領域情報が示す初期位置を使用して、選択映像をマルチ画面に表示する。
【００２２】
次に、配信サーバ２０の構成について詳細に説明する。
配信サーバ２０は、受信部２１と、再生データ保存部２２と、送信部２３と、サーバ制御部２４とを含む。
受信部２１は、広域のネットワーク（Ａ）３０を介して、マスタ再生端末４０、スレーブ再生端末５０、スレーブ再生端末６０、およびスレーブ再生端末７０のそれぞれから要求信号を受信し、受信した要求信号をサーバ制御部２４に出力する。
サーバ制御部２４は、再生データ保存部２２を参照して、受信部２１から入力する要求信号に基づき、要求信号に対応するデータを読み出し、送信部２３に出力する。
【００２３】
再生データ保存部２２は、マルチビュー再生ファイルと、再生設定ファイルと、符号化映像データと、マルチビュー再生ファイルテーブルと、符号化映像データテーブルを蓄積している。
マルチビュー再生ファイルの一例を図５に示す。マルチビュー再生ファイルは、例えば、図５に示す通り、符号化映像データが格納されている存在場所を示すコンテンツＵＲＬと、マルチ画面における再生映像の分割数（縦、横）が記載されているテキストファイルである。なお、この再生映像の分割数（縦、横）は、言い換えると、マルチ画面を構成するマスタ再生端末４０とスレーブ再生端末５０、スレーブ再生端末６０、およびスレーブ再生端末７０の配置を示す情報である。
図示の例では、コンテンツＵＲＬ（符号化映像データが存在する場所「ｒｔｓｐ：／／ＸＸＸ．ＸＸＸ．ＸＸＸ／符号化映像データ」）、縦分割数（選択領域の縦方向の分割数、図示の例では「２」）、横分割数（選択領域の横方向の分割数、図示の例では「２」）が記載されている。
【００２４】
再生設定ファイルの一例を図６に示す。再生設定ファイルには、例えば、図６に示す通り、初期値として用いる選択領域情報と、メイン映像の解像度と、ナビゲーション映像の解像度が記載されている。なお、選択領域情報の初期値は、ユーザによって選択されるコンテンツ映像における一部の領域である選択領域を示す情報として、予め決められているものである。
【００２５】
符号化映像データは、コンテンツ映像を符号化したものであって、映像全体を再生するナビゲーション符号化映像データと、選択した領域を再生するメイン符号化映像データとの２つを含む。このナビゲーション符号化映像データとメイン符号化映像データは、同一のコンテンツ映像の符号化データであって、解像度が異なる点が異なる。メイン符号化映像データは、ナビゲーション符号化映像データより解像度が高い映像である。本実施形態において、ナビゲーション符号化映像データの解像度は、２００×４００＝８万画素であり、メイン符号化映像データの解像度は、２０００×４０００＝８００万画素である。これらナビゲーション符号化映像データとメイン符号化映像データは、１つの符号化映像データとして再生データ保存部２２に蓄積されている。
【００２６】
マルチビュー再生ファイルテーブルの一例を図７に示す。このマルチビュー再生テーブルは、例えば、図７に示す通り、マルチビュー再生ファイルの所在を示すマルチビュー再生ファイルＵＲＬと、マルチビュー再生ファイルとを対応付けるテーブルである。
符号化映像データテーブルの一例を図８に示す。この符号化映像データテーブルは、例えば、図８に示す通り、符号化映像データの所在を示すコンテンツＵＲＬと、符号化映像データと、再生設定ファイルとを対応付けるテーブルである。
なお、マルチビュー再生ファイルテーブルと符号化映像データテーブルは、それぞれ予め管理者やユーザ等によって決められている。
【００２７】
送信部２３は、サーバ制御部２４によって再生データ保存部２２から読み出されたデータを、ネットワーク（Ａ）３０を介して、マスタ再生端末４０、スレーブ再生端末５０、スレーブ再生端末６０、およびスレーブ再生端末７０に送信する。
【００２８】
マスタ再生端末４０は、再生要求部４１と、同期再生制御部４２と、送信部４３と、受信部４４と、復号部４５と、表示部４６と、マスタ記憶部４７を含む。
再生要求部４１は、マルチビュー再生ファイルＵＲＬを入力し、同期再生制御部４２に出力する。この再生要求部４１は、例えば、ユーザからの操作入力を受け付ける入力部であって、ユーザが指定したコンテンツ映像の所在を示すマルチビュー再生ファイルＵＲＬの情報を受け付ける。
【００２９】
マスタ記憶部４７は、ネットワーク（Ａ）３０を介して配信サーバ２０と接続される全のスレーブ再生端末５０，６０，７０のＩＰアドレスと各スレーブ再生端末と端末識別子とを対応付ける情報であるスレーブ再生端末識別一覧情報を保持している。
図９は、スレーブ再生端末識別一覧情報の一例を示す図である。
スレーブ再生端末識別一覧情報は、スレーブ再生端末５０、スレーブ再生端末６０、およびスレーブ再生端末７０に予め割り当てられているＩＰアドレスと、スレーブ再生端末５０、スレーブ再生端末６０、およびスレーブ再生端末７０に割り当てられるスレーブ再生端末識別子とを対応付ける情報である。
マスタ記憶部４７は、図９に示すようなスレーブ再生端末のＩＰアドレス一覧を保持し、ＩＰアドレス一覧の上から順番にスレーブ再生端末５０、スレーブ再生端末６０、スレーブ再生端末７０と割り当て、スレーブ再生端末識別子として例えば、上から順にスレーブ再生端末５０には“１”、スレーブ再生端末６０には“２”、スレーブ再生端末７０には“３”を付与する。
同期再生制御部４２は、再生要求部４１、受信部４４および復号部４５からの要求制御と、受信部４４、復号部４５および送信部４３への要求制御を行う。
【００３０】
マスタ再生端末４０は、全てのスレーブ再生端末５０、６０、７０とネットワーク（Ｂ）３１を介してＴＣＰ/ＩＰ接続をする。これは、少なくとも、スレーブ再生端末識別子、マルチビュー再生ファイルＵＲＬ、再生準備通知信号、再生開始通知信号、および指定した時間ごとに、その時の再生時間を示す情報を、それぞれ、スレーブ再生端末５０、スレーブ再生端末６０、およびスレーブ再生端末７０へ送信するために用いる。
スレーブ再生端末５０、スレーブ再生端末６０、およびスレーブ再生端末７０からは、受信開始通知信号、再生準備完了通知信号、再生開始実行通知信号、マスタ再生端末４０からの情報の受け取り返信に用いる。
【００３１】
また、マスタ再生端末４０は、ネットワーク（Ｂ）３１を介して、指定時間毎に選択領域情報を各スレーブ再生端末５０、６０、７０へＵＤＰ（Ｕｓｅｒ Ｄａｔａｇｒａｍ Ｐｒｏｔｏｃｏｌ）マルチキャスト（ＵＤＰブロードキャストでもよい）で送信する。
なお、ＵＤＰブロードキャストは、ネットワーク上の全員にメッセージを送る送信方法である。ＵＤＰマルチキャストは、ネットワーク上の特定グループにメッセージを送る送信方法である。ＴＣＰは、確実に相手にメッセージを届ける送信方法である。ＵＤＰは、転送速度は速いが相手に確実に届く保証はない送信方法である。
ネットワークＢは、家庭ＬＡＮ（Ｌｏｃａｌ Ａｒｅａ Ｎｅｔｗｏｒｋ）や、社内ＬＡＮなどのような特定の建物内、敷地内で使用する限られた範囲内のネットワークを意味している。
【００３２】
マスタ再生端末４０の送信部４３は、同期再生制御部４２からの要求信号を受け取り、要求内容に応じて、配信サーバ２０、または、スレーブ再生端末５０、スレーブ再生端末６０、およびスレーブ再生端末７０に、要求信号を送信する。
より具体的には、送信部４３は、配信サーバ２０に対しては、ネットワーク（Ａ）３０を介して、マルチビュー再生ファイル、符号化映像データ配信要求信号を送信する。また、送信部４３は、スレーブ再生端末５０、スレーブ再生端末６０、およびスレーブ再生端末７０に対しては、ネットワーク（Ｂ）３１を介して、少なくともスレーブ再生端末識別子、マルチビュー再生ファイルＵＲＬ、再生準備通知、再生開始通知、指定した時間ごとにその時の再生時間を示す情報をＴＣＰ／ＩＰで送信する。また、送信部４３は、指定時間毎に選択領域情報をＵＤＰマルチキャスト（ＵＤＰブロードキャストでもよい）で送信する。
【００３３】
受信部４４は、配信サーバ２０、スレーブ再生端末５０、スレーブ再生端末６０、あるいはスレーブ再生端末７０からのデータを受信し、受信したデータが符号化映像データの場合には、復号部４５へ出力し、それ以外の場合には、同期再生制御部４２へ出力する。
【００３４】
復号部４５は、受信部４４から符号化映像データを受け取り、受け取った符号化映像データに含まれるナビゲーション符号化映像データとメイン符号化映像データを並列して１ＧＯＰ（Ｇｒｏｕｐ Ｏｆ Ｐｉｃｔｕｒｅ）単位で復号化する。
また、復号部４５は、マルチ画面にナビゲーション映像を表示する場合のみ、ナビゲーション符号化映像データの復号化を行うものであってもよい。復号部４５がナビゲーション符号化映像データの復号化を行わない場合には、以下で説明するナビゲーション映像と各端末の担当する映像サムネイル映像はマルチ画面に表示しないものとする。
【００３５】
なお、１ＧＯＰは、一般的に、１５フレーム、０．５秒であるが、必ずしもその必要はない。復号部４５は、選択領域情報と分割数からスレーブ再生端末５０、スレーブ再生端末６０、およびスレーブ再生端末７０が再生する選択担当領域の映像の位置を示す再生領域情報を作成し、選択領域情報と再生領域情報から再生領域値を作成する。
復号部４５は、メイン符号化映像データの復号化において、選択領域情報とマスタ再生領域情報とを基にメイン符号化映像データを復号化し、さらに、マスタ再生領域値を基にマスタ再生領域映像をメイン符号化映像データから切り出す。さらに、復号部４５は、復号化したナビゲーション映像とマスタ再生領域映像とを表示部４６へ送る。
【００３６】
表示部４６は、復号部４５から復号化したナビゲーション映像とマスタ再生領域映像とを受け取り、再生を行う。この表示部４６は、マルチ画面における第１ディスプレイＤ１に相当するものであって、本実施形態では、マスタ再生領域映像のみを全面に、第１ディスプレイＤ１の画面のサイズに合わせ表示する。なお、表示部４６は、予め決められた位置において、マスタ再生領域映像の上に、ナビゲーション映像を重畳して表示するものであってもよい。
【００３７】
復号部４５は、復号部４５が復号化したナビゲーション映像から選択領域情報と再生領域値を基に各端末の再生領域映像を切り出し、さらにサムネイル化する。
表示部４６は、サムネイル化された各再生端末の再生領域映像を受け取り、再生を行う。
【００３８】
次に、スレーブ再生端末５０、スレーブ再生端末６０、およびスレーブ再生端末７０の構成について説明する。
スレーブ再生端末５０、スレーブ再生端末６０、およびスレーブ再生端末７０は、各々、同一の構成を有するものであるため、ここでは代表して、スレーブ再生端末５０を例に説明し、他のスレーブ再生端末６０およびスレーブ再生端末７０についての説明は省略する。
【００３９】
スレーブ再生端末５０は、同期再生制御部５２と、送信部５３と、受信部５４と、復号部５５と、表示部５６と、スレーブ記憶部５７とを含む。本実施形態では、スレーブ再生端末は、３台であるが、３台とは限らない。
同期再生制御部５２は、受信部５４、復号部５５からの要求制御と、受信部５４、復号部５５、送信部５３への要求制御を行う。
送信部５３は、同期再生制御部５２からの要求信号を受け取り、要求内容に応じて、配信サーバ２０、または、マスタ再生端末４０へ要求信号を送信する。この送信部５３は、配信サーバ２０に対して、ネットワーク（Ａ）３０を介して、マルチビュー再生ファイル配信要求、符号化映像データ配信要求信号を送信する。一方、送信部５３は、マスタ再生端末４０に対して、ネットワーク（Ｂ）３１を介して、受信開始通知、再生準備完了通知、再生開始実行通知の送信、マスタ再生端末４０からの情報受け取り返信をＴＣＰ／ＩＰで行う。
【００４０】
受信部５４は、配信サーバ２０、マスタ再生端末４０からのデータを受信し、同期再生制御部５２へ出力する。この受信部５４は、ネットワーク（Ｂ）３１を介して、マスタ再生端末４０からスレーブ再生端末識別子、マルチビュー再生ファイルＵＲＬ、再生準備通知、再生開始通知、指定した時間毎の再生時間を示す情報、指定時間毎の選択領域情報を受け取る。
【００４１】
復号部５５は、受信部５４から符号化映像データを受け取り、受け取った符号化映像データに含まれるナビゲーション符号化映像データとメイン符号化映像データとを１ＧＯＰ単位で並列して復号化する。
また、ナビゲーション符号化映像データの復号化は必ずしも行わない場合もある。ナビゲーション符号化映像データの復号化を行わない場合には、以下で説明するナビゲーション映像、各端末の担当する映像サムネイル映像はないものとする。
なお、１ＧＯＰは、一般的に、１５フレーム、０．５秒であるが、必ずしもその必要はない。復号部５５は、選択領域情報と分割数から各再生端末が再生する再生領域情報を作成し、選択領域情報と再生領域情報から再生領域値を作成する。
【００４２】
メイン符号化映像データの復号化は、選択領域情報と、スレーブ再生端末５０（６０、７０）の再生領域情報とを元に復号化し、さらに、スレーブ再生端末５０（６０、７０）の再生領域値に基づいて再生領域映像を切り出す。
さらに、復号部５５は、復号化したナビゲーション映像とスレーブ再生端末５０（６０、７０）の再生領域映像を表示部５６へ送る。表示部５６は、復号部５５から復号化したナビゲーション映像とスレーブ再生端末５０（６０、７０）の再生領域映像とを受け取り、再生を行う。
復号部５５は、復号部５５が復号化したナビゲーション映像から選択領域情報と再生領域値を基に各端末の再生領域映像を切り出し、さらにサムネイル化する。
表示部４６は、サムネイル化された各再生端末の再生領域映像を受け取り、再生を行う。
【００４３】
次に、再生領域情報と再生領域値について説明する。
図１０は、本実施形態による、再生領域情報と再生領域値を説明するための概念図である。
図１１は、マルチ画面における再生担当領域の一例を説明するための概念図である。
本実施形態では、マルチビュー画面において、マスタ再生端末４０、スレーブ再生端末５０、スレーブ再生端末６０、およびスレーブ再生端末７０のそれぞれが表示する画面の領域（以下、マルチ画面再生担当領域という）は、マルチビュー再生ファイルに記載されている分割数に基づいて、予め決められている。
【００４４】
例えば、図１１に示すように、マルチ画面において左上角の領域は、常にマスタ再生端末４０に対して割り当てらえているマルチ画面再生担当領域である。なお、マルチ画面におけるその他の領域は、再生端末識別子に基づき、例えばラスタスキャンの順番に従って、識別子の数が小さい順に、各スレーブ再生端末の再生領域として割り当てられる。
本実施形態において、４等分割されたマルチ画面において右上のマルチ画面再生担当領域を、識別子“１”のスレーブ再生端末５０とする。４等分割されたマルチ画面において左下のマルチ画面再生担当領域を、識別子“２”のスレーブ再生端末６０とする。４等分割されたマルチ画面において右下のマルチ画面再生担当領域を、識別子“３”のスレーブ再生端末７０とする。
【００４５】
図１０に示す通り、メイン映像とナビゲーション映像は、それぞれ解像度が異なる同一のコンテンツ映像である。このコンテンツ映像は、例えば、図３に示したような、スポーツ映像である。また、メイン映像とナビゲーション映像は、このコンテンツ映像のうちの同じ一部を示す選択領域が指定されている。この選択領域は、図４に示したような、キッカーとゴールキーパーの映像である。
【００４６】
なお、メイン映像における選択領域に対応する画像を選択領域画像Ｓ１、ナビゲーション映像における選択領域に対応する画像を選択領域画像Ｓ２と記す。また、メイン映像における選択領域画像Ｓ１において、四分割された左上の画像領域を第１ディスプレイ再生担当領域Ｒ１１、四分割された右上の画像領域を第２ディスプレイ再生担当領域Ｒ１２、四分割された左下の画像領域を第３ディスプレイ再生担当領域Ｒ１３、四分割された右下の画像領域を第４ディスプレイ再生担当領域Ｒ１４と記す。なお、選択領域画像Ｓ２において同様に、四分割された左上の画像領域を第１ディスプレイ再生担当領域Ｒ２１、四分割された右上の画像領域を第２ディスプレイ再生担当領域Ｒ２２、四分割された左下の画像領域を第３ディスプレイ再生担当領域Ｒ２３、四分割された右下の画像領域を第４ディスプレイ再生担当領域Ｒ２４と記す。なお、第１〜４ディスプレイ再生担当領域Ｒ１１〜Ｒ１４は、それぞれ、マスタ再生端末４０、スレーブ再生端末５０、スレーブ再生端末６０、およびスレーブ再生端末７０にそれぞれ対応する。また、第１〜４ディスプレイ再生担当領域Ｒ２１〜Ｒ２４は、それぞれ、マスタ再生端末４０、スレーブ再生端末５０、スレーブ再生端末６０、およびスレーブ再生端末７０に表示される映像を表示する領域である。この第１〜４ディスプレイ再生担当領域Ｒ２１〜Ｒ２４に相当する画像は、実際にナビゲーション映像を分割して生成する画像ではないが、説明便宜のためナビゲーション映像の選択領域画像Ｓ２を仮想的に分割したもとのとして定義するものである。
【００４７】
上述の通り、本実施形態では、ナビゲーション映像の解像度は、４００×２００＝８万画素である。このナビゲーション映像において、選択領域Ｓ２を示す選択領域情報（Ｘ、Ｙ、幅、高さ）は、例えば、（３０，７０，２６０，１００）である。なお、このＸ，Ｙは、基準となる基準位置を示す座標である。本実施形態において、この基準位置Ｐ（Ｘ，Ｙ）のＸに幅を加算しＹに高さを加算した座標（Ｘ＋幅，Ｙ＋高さ）は、基準位置の対角線上の座標Ｐ´となる。よって、この（Ｘ、Ｙ、幅、高さ）は、基準位置Ｐと対角線上の座標Ｐ´により規定される矩形領域を示す。
ナビゲーション映像において、選択領域情報（３０，７０，２６０，１００）が示す選択領域Ｓ２を、ナビゲーション映像を表示することが設定されている再生端末の画面において、予め決められた位置に表示する。
また、上述の通り、メイン映像の解像度は、２０００×４０００＝８００万画素である。このメイン映像において選択領域Ｓ１を示す選択領域情報（Ｘ、Ｙ、幅、高さ）は、（３００，７００，２６００，１０００）である。
なお、本実施形態において、選択領域情報は、メイン映像あるいはナビゲーション映像における座標により選択領域を示すものとして説明するが、本発明はこれに限定されず、メイン映像やナビゲーション映像全体における相対的な座標を示すものであってもよい。例えば、メイン映像における（Ｘ、Ｙ、幅、高さ）＝（３００，７００，２６００，１０００）で表わされる選択領域を、相対座標で表わした相対座標値（０．０７５，０．３５，０．６５，０．５）で示すものであってもよい。また、ナビゲーション映像における（Ｘ、Ｙ、幅、高さ）＝（３０，７０，２６０，１００）で表わされる選択領域を、相対座標で表わした相対座標値（０．０７５，０．３５，０．６５，０．５）で示すものであってもよい。
【００４８】
本実施形態において、マスタ再生端末４０に対応する第１ディスプレイ再生担当領域Ｒ１１を示す再生領域値は、（３００，７００，１３００，５００）である。スレーブ再生端末５０に対応する第２ディスプレイ再生担当領域Ｒ１２を示す再生領域値は、（１６００，７００，１３００，５００）である。スレーブ再生端末６０に対応する第３ディスプレイ再生担当領域Ｒ１３を示す再生領域値は、（３００，１２００，１３００，５００）である。スレーブ再生端末７０に対応する第４ディスプレイ再生担当領域Ｒ１４を示す再生領域値は、（１６００，１２００，１３００，５００）である。
メイン映像において、選択領域情報（３００，７００，２６００，１０００）が示す選択領域Ｓ１を４等分割した画像が、それぞれ、第１〜４ディスプレイ再生担当領域Ｒ１１〜Ｒ１４に対応するマスタ再生端末４０、スレーブ再生端末５０、スレーブ再生端末６０、およびスレーブ再生端末７０に表示される。
【００４９】
次に、各ディスプレイ再生担当領域の復号化の一例について説明する。
図１０に示す通り、本実施形態において、メイン映像およびナビゲーション映像は、それぞれ、１０個に分割されており、分割数＝１０である。また、メイン映像およびナビゲーション映像は、それぞれ、上段に５つと下段に５つの分割映像を配置した配列で分割されている。各分割映像には、他の分割映像とを識別するための映像番号が割り当てられている。例えば、メイン映像およびナビゲーション映像の上段の左側の分割映像に対して“０”、下段の右側の分割映像に対して“９”が、それぞれ割り当てられている。その他の分割映像に対しては、左から右に向かって番号が大きくなるように、昇順に、“１”〜“８”が割り当てられている。
【００５０】
なお、分割数は、図１０に示す１０に限られない。また、分割した場所の識別は、番号に限られない。
図１０に示す例では、選択領域画像Ｓ１あるいは選択領域画像Ｓ２が、それぞれ、映像番号＝“０”，“１”，“２”，“３”，“５”，“６”，“７”，“８”の分割映像の一部の映像を含んでいる。つまり、映像番号＝“４”，“９”に対応する領域は、選択領域画像Ｓ１および選択領域画像Ｓ２のそれぞれの画像を含まない分割映像である。
例えば、マスタ再生端末４０は、マスタ再生端末４０の再生領域情報に基づき、メイン映像のうち、マスタ再生端末４０の再生領域部分に対応する映像番号が“０”，“１”，“５”，“６”の映像の符号化データを復号化し、さらにマスタ再生端末４０の再生領域値を基に、映像番号“０”，“１”，“５”，“６”の映像からマスタ再生端末４０の再生領域値が示すその部分を切りだしてメイン映像を再生する。
スレーブ再生端末５０は、スレーブ再生端末５０の再生領域情報に基づき、“１”，“２”，“３”，“６”，“７”，“８”を復号化し、さらにスレーブ再生端末５０の再生領域値を基にその部分を切りだしてメイン映像を再生する。
マスタ再生端末４０は、サムネイル映像として、ナビゲーション映像から再生領域値を基に各再生端末の再生領域映像切りだして、さらにサムネイル化し、再生端末毎のサムネイル映像として再生する。
【００５１】
図１２、１３は、本実施形態に係る映像分割再生システムによる処理について説明するためのシーケンス図である。具体的には、配信要求から再生開始処理、ユーザ操作選択領域の分割再生処理、再生停止までの処理について説明するためのシーケンス図である。
図１２に示すシーケンスについて、以下説明する。
１．マスタ再生端末４０は、全てのスレーブ再生端末５０、スレーブ再生端末６０、およびスレーブ再生端末７０とＴＣＰ／ＩＰ接続する。マスタ再生端末４０は、全てのスレーブ再生端末５０、スレーブ再生端末６０、およびスレーブ再生端末７０に対して、それぞれ固有のスレーブ再生端末識別子を送信する。本実施形態において、マスタ再生端末４０は、スレーブ再生端末５０にスレーブ再生端末識別子“００１”を、スレーブ再生端末６０にスレーブ再生端末識別子“００２”を、スレーブ再生端末７０にスレーブ再生端末識別子“００３”を、それぞれ送信する。そして、スレーブ再生端末５０、スレーブ再生端末６０、およびスレーブ再生端末７０は、それぞれ、受信したスレーブ再生端末識別子を記憶部に記憶する。
【００５２】
２．マスタ再生端末４０は、配信サーバ２０へマルチビュー再生ファイルの配信要求を送る。マスタ再生端末４０は、配信サーバ２０からマルチビュー再生ファイルを受け取る。
３．マスタ再生端末４０は、マルチビュー再生ファイルに記載されているコンテンツＵＲＬを配信サーバ２０へ送る。マスタ再生端末４０は、配信サーバ２０から、コンテンツＵＲＬに対応する符号化映像データと、再生設定ファイルを受信して、マスタ記憶部４７に保存する。ここでは、マスタ再生端末４０の符号化映像データの再生開始は、まだ実行しない。なお、マスタ再生端末４０は、符号化映像データの受信を開始するが、受信バッファ残量から配信制御を行うことにより、受信バッファが溢れる事態を回避している。配信サーバ２０は、符号化映像データをマスタ再生端末４０に対してストリーム配信している。
【００５３】
４．マスタ再生端末４０は、マルチビュー再生ファイルＵＲＬを全てのスレーブ再生端末５０、スレーブ再生端末６０、およびスレーブ再生端末７０に対して送信する。
５．このスレーブ再生端末５０、スレーブ再生端末６０、およびスレーブ再生端末７０は、配信サーバ２０に対して、マルチビュー再生ファイルの配信要求を送る。そして、スレーブ再生端末５０、スレーブ再生端末６０、およびスレーブ再生端末７０は、配信サーバ２０からマルチビュー再生ファイルを受け取る。
【００５４】
６．スレーブ再生端末５０、スレーブ再生端末６０、およびスレーブ再生端末７０は、マルチビュー再生ファイルに記載されているコンテンツＵＲＬを配信サーバへ送る。スレーブ再生端末５０、スレーブ再生端末６０、およびスレーブ再生端末７０は、配信サーバ２０から、コンテンツＵＲＬに対応する符号化映像データと、再生設定ファイルを受信して、スレーブ記憶部５７に保存する。ここでは、スレーブ再生端末５０、スレーブ再生端末６０、およびスレーブ再生端末７０の符号化映像データの再生開始は、まだ実行しない。なお、スレーブ再生端末５０、スレーブ再生端末６０、およびスレーブ再生端末７０は、符号化映像データの受信を開始するが、受信バッファ残量から配信制御を行うことにより、受信バッファが溢れる事態を回避している。配信サーバ２０は、符号化映像データをスレーブ再生端末５０、スレーブ再生端末６０、およびスレーブ再生端末７０に対してストリーム配信している。
【００５５】
７．スレーブ再生端末５０、スレーブ再生端末６０、およびスレーブ再生端末７０は、受信開始通知をマスタ再生端末４０へ送信する。
８．マスタ再生端末４０は、全てのスレーブ再生端末５０、スレーブ再生端末６０、およびスレーブ再生端末７０から受信開始通知を受け取ると、受信部４４から符号化映像データを１ＧＯＰ復号部４５に出力する。また、マスタ再生端末４０は、マスタ記憶部４７から読み出した再生設定ファイルを復号部４５に出力する。
９．そして、マスタ再生端末４０は、全てのスレーブ再生端末５０、スレーブ再生端末６０、およびスレーブ再生端末７０に対して、再生準備を通知する。
【００５６】
１０．スレーブ再生端末５０、スレーブ再生端末６０、およびスレーブ再生端末７０は、それぞれ、マスタ再生端末４０から再生準備を受け取ると、受信部５４から符号化映像データを１ＧＯＰ復号部５５に出力する。また、スレーブ再生端末５０、スレーブ再生端末６０、およびスレーブ再生端末７０は、スレーブ記憶部５７から読み出した再生設定ファイルを復号部５５に出力する。
【００５７】
１１．スレーブ再生端末５０、スレーブ再生端末６０、およびスレーブ再生端末７０は、マスタ再生端末４０へ再生準備完了を通知する。
１２．マスタ再生端末４０は、全てのスレーブ再生端末５０、スレーブ再生端末６０、およびスレーブ再生端末７０から再生準備完了を受け取ると、全てのスレーブ再生端末５０、スレーブ再生端末６０、およびスレーブ再生端末７０に対して再生開始を通知する。
【００５８】
１３．スレーブ再生端末５０、スレーブ再生端末６０、およびスレーブ再生端末７０は、再生開始を受け取ると、それぞれの復号部５５が、再生設定ファイルに記載されている分割数および初期選択領域情報と、再生端末識別子とに基づき、各スレーブ再生端末５０、スレーブ再生端末６０、およびスレーブ再生端末７０に対応する再生担当領域を示す再生領域情報を作成する。また、スレーブ再生端末５０、スレーブ再生端末６０、およびスレーブ再生端末７０は、初期選択領域情報と再生領域情報に基づき各スレーブ再生端末５０、スレーブ再生端末６０、およびスレーブ再生端末７０に対応する再生担当領域を示す再生領域値を作成し、再生領域値を基に、スレーブ再生端末５０、スレーブ再生端末６０、あるいはスレーブ再生端末７０のそれぞれに対応する第２ディスプレイ再生担当領域Ｒ２２、第３ディスプレイ再生担当領域Ｒ２３、第４ディスプレイ再生担当領域Ｒ２４に、それぞれに対応する画像の再生を開始し、ナビゲーション映像を再生開始してもよい。
さらに、スレーブ再生端末５０、スレーブ再生端末６０、およびスレーブ再生端末７０は、初期選択領域情報、再生領域情報、および再生領域値に基づき、全再生端末（マスタ再生端末４０、スレーブ再生端末５０、スレーブ再生端末６０、およびスレーブ再生端末７０）のサムネイルの再生を開始してもよい。
【００５９】
１４．スレーブ再生端末５０、スレーブ再生端末６０、およびスレーブ再生端末７０は、再生開始実行をマスタ再生端末４０へ通知する。
１５．マスタ再生端末４０は、全てのスレーブ再生端末５０、スレーブ再生端末６０、およびスレーブ再生端末７０から再生開始実行を受け取ると、復号部４５が、再生設定ファイルに記載されている分割数および初期選択領域情報と、再生端末識別子とに基づき、再生領域情報を作成する。そして、マスタ再生端末４０は、この初期選択領域情報と再生領域情報に基づき、再生領域値を作成する。マスタ再生端末４０は、再生領域値に基づき、マスタ再生端末４０に対応する第１ディスプレイ再生担当領域に対応する画像の再生を開始する。また、マスタ再生端末４０は、ナビゲーション映像の再生を開始してもよい。
さらに、マスタ再生端末４０は、初期選択領域情報、再生領域情報、および再生領域値に基づき、全ての再生端末（マスタ再生端末４０、スレーブ再生端末５０、スレーブ再生端末６０、およびスレーブ再生端末７０）のサムネイルの再生を開始してもよい。
【００６０】
次に、図１３に示すシーケンスについて、以下説明する。
ここで、マスタ再生端末４０に対して、ユーザが選択領域の変更を指示する。
１６．マスタ再生端末４０は、ユーザが指定する変更後の選択領域の位置を示す新選択領域情報と再生領域情報に基づき、選択領域変更後の第１ディスプレイ再生担当領域Ｒ１１を示す新再生領域値を作成する。
マスタ再生端末４０は、新再生領域値に基づき、選択領域変更後の第１ディスプレイ再生担当領域Ｒ１１に対応する画像の再生を開始する。また、マスタ再生端末４０は、ナビゲーション映像の再生を開始してもよい。
さらに、マスタ再生端末４０は、新選択領域情報、再生領域情報、および新再生領域値に基づき、全再生端末（マスタ再生端末４０、スレーブ再生端末５０、スレーブ再生端末６０、およびスレーブ再生端末７０）のサムネイルを再生する。
【００６１】
１７．マスタ再生端末４０は、指定時間毎に、全てのスレーブ再生端末５０、スレーブ再生端末６０、およびスレーブ再生端末７０に対して新選択領域情報を送信する。
１８．スレーブ再生端末５０、スレーブ再生端末６０、およびスレーブ再生端末７０は、マスタ再生端末４０から選択領域情報を受け取る。そして、受け取った新選択領域情報と再生領域情報に基づき、新しい再生領域値を作成する。新再生領域値を基にスレーブ再生端末の再生領域を再生する。ナビゲーション映像を再生する。さらに、受け取った選択領域情報と再生領域情報、新再生領域値を基に全再生端末のサムネイルを再生開始する。
【００６２】
１９．マスタ再生端末４０は、指定時間毎に再生時間を確認する。このマスタ再生端末４０は、再生時間を示す情報（以下、再生時間情報という）を全てのスレーブ再生端末５０、スレーブ再生端末６０、およびスレーブ再生端末７０に送信する。この再生時間情報とは、コンテンツ映像を再生する順番を映像の再生時間によって表わす情報である。
２０．スレーブ再生端末５０、スレーブ再生端末６０、およびスレーブ再生端末７０は、受け取ったマスタ再生端末の再生時間情報が示す再生時間に、自身が表示するコンテンツ映像の再生時間を合わせる。
２１．マスタ再生端末４０が再生停止を実行すると、マスタ再生端末４０は、全てのスレーブ再生端末５０、スレーブ再生端末６０、およびスレーブ再生端末７０に対して再生停止を通知する。
２２．そして、全てのスレーブ再生端末５０、スレーブ再生端末６０、およびスレーブ再生端末７０は、再生停止を受信する。
２３．マスタ再生端末４０は、配信サーバ２０へ配信停止を送信する。
２４．マスタ再生端末４０は再生を停止する。
２５．スレーブ再生端末５０、スレーブ再生端末６０、およびスレーブ再生端末７０は、配信サーバ２０へ配信停止を送信する。
２６．スレーブ再生端末５０、スレーブ再生端末６０、およびスレーブ再生端末７０は、再生を停止する。
【００６３】
なお、本実施形態に係る映像分割再生システムは、マスタ再生端末４０から再生開始通知を受け取ると、スレーブ再生端末５０、スレーブ再生端末６０、およびスレーブ再生端末７０が、それぞれ、符号化データの再生を開始し、再生開始実行通知信号をマスタ再生端末４０に送信する。このマスタ再生端末４０は、全てのスレーブ再生端末５０、スレーブ再生端末６０、およびスレーブ再生端末７０から再生開始実行通知信号を受信した場合、符号化データの再生を開始する。その後、マスタ再生端末４０は、各スレーブ再生端末５０、スレーブ再生端末６０、およびスレーブ再生端末７０に対して指定時間ごとに再生時間情報を送信する。このスレーブ再生端末５０、スレーブ再生端末６０、およびスレーブ再生端末７０は、受信した再生時間情報に基づき、マスタ再生端末４０において表示される映像の再生タイミングとスレーブ再生端末５０、スレーブ再生端末６０、およびスレーブ再生端末７０のそれぞれにおいて表示される映像の再生タイミングの同期をとっている。これにより、マスタ再生端末４０、スレーブ再生端末５０、スレーブ再生端末６０、およびスレーブ再生端末７０によって構成されるマルチ画面において表示される映像のずれを低減することができる。
【００６４】
ここで、指定時間とは、マスタ再生端末４０、スレーブ再生端末５０、スレーブ再生端末６０、およびスレーブ再生端末７０において、それぞれ復号化される符号化データの長さを示すものであって、予め決められている。また、再生時間とは、符号化ファイルにおいて再生する順番を映像の長さを示す時間によって表わしたものである。例えば、１００ｍｓｅｃごとに分割された単位時間の映像に対して、再生時間は、この単位時間当たりの映像の並び順を示す情報である。よって、再生期間が示す情報が同じ単位時間当たりの映像は、同一の映像あるいは同一タイミングによって再生されるべき映像を示している。
また、本実施形態に係る映像分割再生システムは、メイン映像に同期してナビゲーション映像を表示するものである。この場合も、各ディスプレイＤ１〜Ｄ４に表示する映像を同期させる場合と同様に、再生時間情報に基づき、指定時間ごとに映像の再生タイミングを合わせる。
なお、図１３に示すシーケンスにおいて、マスタ再生端末４０のみが、スレーブ再生端末５０、スレーブ再生端末６０、およびスレーブ再生端末７０に対して再生時間情報を送信することを例に説明したが、本発明はこれに限られない。つまり、スレーブ再生端末５０、スレーブ再生端末６０、およびスレーブ再生端末７０のいずれかが、再生した符号化映像データに対応する再生時間情報を指定時間ごとにマスタ再生端末４０、あるいは他のスレーブ再生端末５０、スレーブ再生端末６０、およびスレーブ再生端末７０へ送信するものであってもよい。
【００６５】
次に、本実施形態に係る映像分割再生システムの処理フローの一例について、図１４〜図２２を参照して説明する。
なお、以下では、スレーブ再生端末として、スレーブ再生端末５０についてのみ説明する。しかし、本発明は、上述のとおり複数のスレーブ再生端末を備える構成であってもよく、他のスレーブ再生端末６０、７０もスレーブ再生端末５０と同様の動作を行うため、スレーブ再生端末５０の後ろに括弧で符号のみを示して、詳細な説明は省略する。
【００６６】
図１４〜図２２は、本実施形態に係る映像分割再生システムによる映像分割再生方法の一例を説明するためのフローチャートである。
はじめに、図１４を参照して、本実施形態に係る映像分割再生方法の一例を説明する。
マスタ再生端末４０の同期再生制御部４２は、マスタ記憶部４７に保存されているスレーブ再生端末識別一覧情報を参照して、スレーブ再生端末５０（６０、７０）とネットワーク（Ｂ）３１を介して、ＴＣＰ／ＩＰ（Transmission Control Protocol/Internet Protocol）接続を行う。このスレーブ再生端末識別テーブルは、事前に設定してある。
【００６７】
次に、マスタ再生端末４０の同期再生制御部４２は、ＴＣＰ／ＩＰ接続した全てのスレーブ再生端末５０（６０、７０）に対して、各スレーブ再生端末５０（６０、７０）を識別するためのスレーブ再生端末識別子を示す情報を送信する。つまり、同期再生制御部４２は、スレーブ再生端末識別一覧情報を参照して、スレーブ再生端末５０（６０、７０）に対して予め割り当てられているＩＰアドレスに基づき、スレーブ再生端末識別一覧情報においてＩＰアドレスと対応付けられている再生端末識別子を、スレーブ再生端末５０（６０、７０）に対して送信する。
このスレーブ再生端末５０（６０、７０）は、それぞれ、自身に割り当てられているＩＰアドレスに対応するスレーブ再生端末識別子を受信し、スレーブ記憶部５７に保存する（ステップ７０１）。
【００６８】
ここで、ユーザによって、マルチビュー再生ファイルＵＲＬを示す情報が再生要求部４１に対して入力されると、再生要求部４１は、入力されたマルチビュー再生ファイルＵＲＬを示す情報を同期再生制御部４２に出力する（ステップ７０２）。
同期再生制御部４２は、再生要求部４１から入力するマルチビュー再生ファイルＵＲＬを示す情報を受け取り、受け取ったマルチビュー再生ファイルＵＲＬを示す情報をマスタ記憶部４７に保存するとともに、このマルチビュー再生ファイルＵＲＬを示す情報を送信部４３へ出力する（ステップ７０３）。
そして、送信部４３は、マルチビュー再生ファイルＵＲＬを示す情報を同期再生制御部４２から受け取り、受け取ったマルチビュー再生ファイルＵＲＬが示すマルチビュー再生ファイルの配信を要求するマルチビュー再生ファイル配信要求信号を、ネットワーク（Ａ）３０を介して、配信サーバ２０へ送信する（ステップ７０４）。
【００６９】
配信サーバ２０の受信部２１は、ネットワーク（Ａ）３０を介して、マスタ再生端末４０からマルチビュー再生ファイル配信要求信号を受信し、サーバ制御部２４へ出力する（ステップ７０５）。
サーバ制御部２４は、受信部２１からマルチビュー再生ファイル配信要求信号を受け取り、再生データ保存部２２のマルチビュー再生ファイルテーブルを参照して、受け取ったマルチビュー再生ファイル配信要求信号が示すマルチビュー再生ファイルＵＲＬに対応するマルチビュー再生ファイルを再生データ保存部２２から読み出し、送信部２３へ出力する（ステップ７０６）。
送信部２３は、サーバ制御部２４からマルチビュー再生ファイルを受け取り、受け取ったマルチビュー再生ファイルを、ネットワーク（Ａ）３０を介してマスタ再生端末４０へ送信する（ステップ７０７）。
【００７０】
マスタ再生端末４０の受信部４４は、ネットワーク（Ａ）３０を介して、配信サーバ２０からマルチビュー再生ファイルを受信し、同期再生制御部４２へ出力する（ステップ７０８）。
同期再生制御部４２は、受信部４４からマルチビュー再生ファイルを受け取ると、マルチビュー再生ファイルの中に記載されているコンテンツＵＲＬの符号化映像データの配信を要求する符号化映像データ配信要求信号を送信部４３へ出力するとともに、受信したマルチビュー再生ファイルをマスタ記憶部４５に保存する（ステップ７０９）。
送信部４３は、同期再生制御部４２から符号化映像データ配信要求信号を受け取り、受け取った符号化映像データ配信要求信号を、ネットワーク（Ａ）３０を介して配信サーバ２０へ送信する（ステップ７１０）。
【００７１】
次に、図１５を参照して、本実施形態に係る映像分割再生方法の続きを説明する。
配信サーバ２０の受信部２１は、ネットワーク（Ａ）３０を介して、マスタ再生端末４０から符号化映像データ配信要求信号を受信し、受け取った符号化映像データ配信要求信号をサーバ制御部２４へ出力する（ステップ７１１）。
次に、サーバ制御部２４は、受信部２１から符号化映像データ配信要求信号を受け取り、再生データ保存部２２の符号化映像データテーブルを参照して、符号化映像データ配信要求信号が示すコンテンツＵＲＬに対応する符号化映像データの再生設定ファイルを再生データ保存部２２から読み出し、送信部２３へ出力する。
【００７２】
配信サーバ２０の送信部２３は、サーバ制御部２４から入力する再生設定ファイルを受け取り、受け取った再生設定ファイルを、ネットワーク（Ａ）３０を介してマスタ再生端末４０へ送信する（ステップ７１２）。
また、サーバ制御部２４は、再生データ保存部２２の符号化映像データテーブルを参照して、符号化映像データ配信要求信号が示すコンテンツＵＲＬに対応する符号化映像データを再生データ保存部２２から読み出し、送信部２３へ出力する。この送信部２３は、サーバ制御部２４から送られた符号化映像データを受け取り、受け取った符号化映像データを、ネットワーク（Ａ）３０を介してマスタ再生端末４０へ送信する（ステップ７１３）。
【００７３】
そして、マスタ再生端末４０の受信部４４は、配信サーバ２０の送信部２３から送信された再生設定ファイルと符号化映像データを、ネットワーク（Ａ）３０を介して受信すると、同期再生制御部４２に出力する。この同期再生制御部４２は、再生設定ファイルをマスタ記憶部４７に保存する。また、受信部４４は、再生設定ファイルと符号化映像データを受信すると、符号化映像データを受信したことを示す符号化映像データ受信開始通知信号を生成し、同期再生制御部４２に出力する（ステップ７１４）。
なお、マスタ再生端末４０は、この段階ではまだ、符号化映像データの再生処理を開始しない。受信部４４は、バッファ残量から配信制御を行っているため、受信バッファが溢れることはない。
【００７４】
そして、同期再生制御部４２は、受信部４４から符号化映像データ受信開始通知信号と再生設定ファイルを受け取ると、ステップ７０２と同じマルチビュー再生ファイルＵＲＬを全てのスレーブ再生端末５０（６０、７０）に通知する。つまり、同期再生制御部４２は、マスタ記憶部４７に記憶されているマスタビュー再生ファイルＵＲＬを読み出し、このマスタビュー再生ファイルＵＲＬを示す情報を送信部４３へ出力する（ステップ７１５）。
この送信部４３は、同期再生制御部４２からステップ７０２と同じマルチビュー再生ファイルＵＲＬを示す情報を受け取り、受け取ったマルチビュー再生ファイルＵＲＬを示す情報を、ネットワーク（Ｂ）３１を介して、全てのスレーブ再生端末５０（６０、７０）へ送信する（ステップ７１６）。
【００７５】
スレーブ再生端末５０（６０、７０）の受信部５４は、ネットワーク（Ｂ）３１を介して、マスタ再生端末４０からマルチビュー再生ファイルＵＲＬを示す情報を受け取り、該マルチビュー再生ファイルＵＲＬを示す情報を同期再生制御部５２へ出力する（ステップ７１７）。
このスレーブ再生端末５０（６０、７０）の同期再生制御部５２は、受信部５４からマルチビュー再生ファイルＵＲＬを示す情報を受け取り、このマルチビュー再生ファイルＵＲＬを示す情報をスレーブ記憶部５７に保存するとともに、このマルチビュー再生ファイルＵＲＬを示す情報を送信部５３へ出力する（ステップ７１８）。
スレーブ再生端末５０（６０、７０）の送信部５３は、同期再生制御部５２からマルチビュー再生ファイルＵＲＬを示す情報を受け取り、このマルチビュー再生ファイルＵＲＬの示すマルチビュー再生ファイルの配信を要求するマルチビュー再生ファイル配信要求信号を、ネットワーク（Ａ）３０を介して配信サーバ２０へ送る（ステップ７１９）。
【００７６】
次に、図１６を参照して、本実施形態に係る映像分割再生方法の続きを説明する。
配信サーバ２０の受信部２１は、ネットワーク（Ａ）３０を介して、スレーブ再生端末５０（６０、７０）からマルチビュー再生ファイル配信要求信号を受信し、サーバ制御部２４に出力する（ステップ７２０）。
サーバ制御部２４は、受信部２１からマルチビュー再生ファイル配信要求信号を受け取り、再生データ保存部２２のマルチビュー再生ファイルテーブルを参照して、受け取ったマルチビュー再生ファイル配信要求信号が示すマルチビュー再生ファイルＵＲＬと対応するマルチビュー再生ファイルを再生データ保存部２２から要求された数だけ読み出し、送信部２３へ出力する（ステップ７２１）。
送信部２３は、サーバ制御部２４からマルチビュー再生ファイルを要求された数だけ受け取り、受け取ったマルチビュー再生ファイルを、ネットワーク（Ａ）３０を介して、スレーブ再生端末５０（６０、７０）へ送信する（ステップ７２２）。
【００７７】
そして、スレーブ再生端末５０（６０、７０）の受信部５４は、ネットワーク（Ａ）３０を介して、配信サーバ２０からマルチビュー再生ファイルを受信し、同期再生制御部５２へ出力する（ステップ７２３）。
次いで、スレーブ再生端末５０（６０、７０）の同期再生制御部５２は、受信部５４からマルチビュー再生ファイルを受け取ると、マルチビュー再生ファイルの中に記載されているコンテンツＵＲＬの符号化映像データの配信を要求する符号化映像データ配信要求信号を、送信部５３へ出力するとともに、受信したマルチビュー再生ファイルをスレーブ記憶部５７に保存する（ステップ７２４）。
送信部５３は、同期再生制御部５２から符号化映像データ配信要求信号を受け取り、受け取った符号化映像データ配信要求信号を、ネットワーク（Ａ）３０を介して、配信サーバ２０へ送信する（ステップ７２５）。
【００７８】
配信サーバ２０の受信部２１は、ネットワーク（Ａ）３０を介して、スレーブ再生端末５０（６０、７０）から符号化映像データ配信要求信号を受信し、受け取った符号化映像データ配信要求信号をサーバ制御部２４に出力する（ステップ７２６）。
サーバ制御部２４は、受信部２１から符号化映像データ配信要求信号を受け取り、再生データ保存部２２の符号化映像データテーブルを参照して、符号化映像データ配信要求信号が示すコンテンツＵＲＬに対応する符号化映像データの再生設定ファイルを再生データ保存部２２から要求された数だけ読み出し、送信部２３へ出力する。この送信部２３は、サーバ制御部２４から出力された再生設定ファイルを要求された数だけ受け取り、この受け取った再生設定ファイルを、ネットワーク（Ａ）３０を介してスレーブ再生端末５０（６０、７０）へ送信する（ステップ７２７）。
【００７９】
次いで、サーバ制御部２４は、再生データ保存部２２の符号化映像データテーブルを参照して、符号化映像データ配信要求信号が示すコンテンツＵＲＬに対応する符号化映像データを再生データ保存部２２から要求された数だけ読み出し、送信部２３へ出力する。この送信部２３は、サーバ制御部２４から符号化映像データを要求された数だけ受け取り、受け取った符号化映像データを、ネットワーク（Ａ）３０を介してスレーブ再生端末５０（６０、７０）へ送信する（ステップ７２８）。
【００８０】
次に、図１７を参照して、本実施形態に係る映像分割再生方法の続きを説明する。
スレーブ再生端末５０（６０、７０）の受信部５４は、ネットワーク（Ａ）３０を介して、配信サーバ２０の送信部２３から送信された再生設定ファイルと符号化映像データを受信すると、再生設定ファイルを同期再生制御部５２に出力する。この同期再生制御部５２は、再生設定ファイルをスレーブ記憶部５７に保存する。また、受信部５４は、再生設定ファイルと符号化映像データを受信すると、符号化映像データを受信したことを示す符号化映像データ受信開始通知信号を生成し、同期再生制御部５２に出力する（ステップ７２９）。
なお、スレーブ再生端末５０（６０、７０）は、この段階では、符号化映像データの再生処理を開始しない。スレーブ再生端末５０（６０、７０）において、受信部５４は、バッファ残量から配信制御を行っているため、受信バッファが溢れることはない。
【００８１】
次に、スレーブ再生端末５０（６０、７０）の同期再生制御部５２は、受信部５４から符号化映像データ受信開始通知信号を受け取り、受け取った符号化映像データ受信開始通知信号を、送信部５３へ出力する（ステップ７３０）。
送信部５３は、同期再生制御部５２から符号化映像データ受信開始通知信号を受け取り、受け取った符号化映像データ受信開始通知信号を、ネットワーク（Ｂ）３１を介して、マスタ再生端末４０へ送信する（ステップ７３１）。
【００８２】
マスタ再生端末４０の受信部４４は、スレーブ再生端末５０（６０、７０）からネットワーク（Ｂ）３１を介して符号化映像データ受信開始通知信号を受信し、受信した符号化映像データ受信開始通知信号を、同期再生制御部４２へ出力する（ステップ７３２）。
同期再生制御部４２は、受信部４４からスレーブ再生端末５０（６０、７０）の符号化映像データ受信開始通知信号を受け取る。この同期再生制御部４２は、全てのスレーブ再生端末５０（６０、７０）から符号化映像データ受信開始通知信号を受信したか否かを判定する。全てのスレーブ再生端末５０（６０、７０）から符号化映像データ受信開始通知信号を受信した場合、同期再生制御部４２は、符号化映像データを１ＧＯＰのみ復号部４５へ送信する信号を受信部４４へ送る。受信部４４は、この符号化映像データ１ＧＯＰを復号部４５へ出力する。
このとき、復号部４５は、入力した符号化映像データ１ＧＯＰをまだ復号せずに、一時的に自身の記憶部に保存しておく。
また、同期再生制御部４２は、全てのスレーブ再生端末５０（６０、７０）から符号化映像データ受信開始通知信号を受信した場合、マスタ記憶部４７から再生設定ファイルを読み出し、復号部４５へこの再生設定ファイルを出力するとともに、再生準備通知信号を送信部４３へ出力する（ステップ７３３）。
マスタ再生端末４０の送信部４３は、同期再生制御部４２から各スレーブ再生端末５０（６０、７０）に対して送信する再生準備通知信号を受け取り、各スレーブ再生端末５０（６０、７０）に対して、ネットワーク（Ｂ）３１を介して再生準備通知信号を送信する（ステップ７３４）。
【００８３】
スレーブ再生端末５０（６０、７０）の受信部５４は、マスタ再生端末４０から再生準備通知信号をネットワーク（Ｂ）３１を介して受信すると、受信した再生準備通知信号を同期再生制御部５２へ出力する（ステップ７３５）。
同期再生制御部５２は、再生準備通知信号を受け取ると、符号化映像データを１ＧＯＰのみ復号部５５へ送信する信号を受信部５４へ送る。受信部５４は、この符号化映像データ１ＧＯＰを復号部５５へ出力する。このとき、復号部５５は、入力した符号化映像データ１ＧＯＰをまだ復号せずに、一時的に自身の記憶部に保存しておく。
同期再生制御部５２は、スレーブ記憶部５７から再生設定ファイルを読み出し、復号部５５へ出力するとともに、スレーブ再生端末５０（６０、７０）における符号化映像データの再生の準備が完了したことを示す再生準備完了通知信号を、送信部５３へ出力する。（ステップ７３６）。
【００８４】
次に、図１８を参照して、本実施形態に係る映像分割再生方法の続きを説明する。
この送信部５３は、同期再生制御部５２から再生準備完了通知信号を受け取り、マスタ再生端末４０へ、ネットワーク（Ｂ）３１を介して再生準備完了通知信号を送信する（ステップ７３７）。
マスタ再生端末４０の受信部４４は、スレーブ再生端末５０（６０、７０）から再生準備完了通知信号を、ネットワーク（Ｂ）３１を介して受信すると、受信した再生準備完了通知信号を、同期再生制御部４２へ出力する（ステップ７３８）。この同期再生制御部４２は、受信部４４から再生準備完了通知信号を受け取り、全てのスレーブ再生端末５０、６０、７０から再生準備完了通知信号を受信したか否かを判定する。全てのスレーブ再生端末５０、６０、７０から再生準備完了通知信号を受信した場合、同期再生制御部４２は、再生開始通知信号を全スレーブ再生端末５０、６０、７０へ送る指示を、送信部４３へ出力する（ステップ７３９）。
マスタ再生端末４０の送信部４３は、同期再生制御部４２から再生開始通知信号を受け取ると、ネットワーク（Ｂ）３１を介して、全てのスレーブ再生端末５０、６０、７０へ再生開始通知信号を送信する（ステップ７４０）。
【００８５】
スレーブ再生端末５０（６０、７０）において、受信部５４は、再生開始通知信号をマスタ再生端末４０からネットワーク（Ｂ）３１を介して受信すると、受信した再生開始通知信号を、同期再生制御部５２へ出力する（ステップ７４１）。
そして、同期再生制御部５２は、受信部５４から再生開始通知信号を受け取ると、復号部５５に、一時保存されている符号化映像データの復号化を開始することを示す復号化開始指示信号を出力するとともに、受信部５４へ符号化データの復号部５５への送信開始を示す送信開始信号を送る。受信部５４は、送信開始信号を受け取ると、復号部５５へ符号化データの送信を開始する。
さらに、同期再生制御部５２は、スレーブ再生端末５０（６０、７０）の符号化映像データの復号化を開始したことを示す再生開始実行通知信号を作成し、送信部５３に出力する（ステップ７４２）。
【００８６】
スレーブ再生端末５０（６０、７０）において、復号部５５は、同期再生制御部５２から復号化開始指示信号が入力すると、スレーブ記憶部５７に保存されているスレーブ再生端末識別子と、再生設定ファイルに記載されている初期選択領域情報およびマルチビュー再生ファイルの分割数とに基づき、選択領域におけるスレーブ再生端末５０（６０、７０）の再生担当領域の位置を示す再生領域情報を作成する。
例えば、スレーブ再生端末５０のスレーブ記憶部５７には、スレーブ再生端末識別子“２”が保存されている。また、スレーブ再生端末５０のスレーブ記憶部５７には、初期選択領域情報（Ｘ、Ｙ、幅、高さ）＝（３００，７００，２６００，１０００）、あるいは相対座標で表わした相対座標値（０．０７５，０．３５，０．６５，０．５）と、マルチビュー再生ファイルの分割数｛縦分割数＝２、横分割数＝２｝が記載されている。よって、同期再生制御部５２は、初期選択領域情報（３００，７００，２６００，１０００）あるいは相対座標で表わした相対座標値（０．０７５，０．３５，０．６５，０．５）によって示される選択領域Ｓ１を４分割した場合、スレーブ再生端末識別子“１”に対応する領域が選択領域Ｓ１において右上側の領域であることを示す再生領域情報を作成する。なお、初期選択領域情報、分割数、およびスレーブ再生端末識別子の組み合わせに応じた再生領域は、予め決められており、これらの関係性を示す情報はプログラムとして事前に復号部５５に搭載されている。
【００８７】
さらに、復号部５５は、初期選択領域情報（３００，７００，２６００，１０００）、あるいは相対座標で表わした相対座標値（０．０７５，０．３５，０．６５，０．５）と、スレーブ再生端末５０（６０、７０）の再生領域情報とに基づき、各スレーブ再生端末５０（６０、７０）にそれぞれ対応する第２〜４ディスプレイ再生担当領域Ｒ１２〜１４を示す再生領域値を算出する。
例えば、スレーブ再生端末５０の同期再生制御部５２は、スレーブ再生端末５０に対応する第２ディスプレイ再生担当領域Ｒ１２を示す再生領域値＝（１６００，７００，１３００，５００）を算出する。
なお、スレーブ再生端末６０も同様にして、スレーブ再生端末６０に対応する第３ディスプレイ再生担当領域Ｒ１３を示す再生領域値＝（３００，１２００，１３００，５００）を算出する。また、スレーブ再生端末７０も同様にして、スレーブ再生端末７０に対応する第４ディスプレイ再生担当領域Ｒ１４を示す再生領域値＝（１６００，１２００，１３００，５００）を算出する（ステップ７４３）。
【００８８】
復号部５５は、初期選択領域情報（３００，７００，２６００，１０００）、あるいは相対座標で表わした相対座標値（０．０７５，０．３５，０．６５，０．５）とステップ７４３において算出したスレーブ再生端末５０（６０、７０）それぞれの自端末の再生領域値に基づき、符号化映像データに含まれるメイン符号化映像データの復号化と、ナビゲーション符号化映像データとの復号化を、１ＧＯＰ単位で並列して開始する。なお、スレーブ再生端末５０（６０、７０）において、ナビゲーション符号化映像データを表示しない場合、メイン符号化映像データの復号化のみを開始する。
初期選択領域情報と再生領域値とに基づいて復号化したメイン映像は、図１０に示すスレーブ再生領域より大きいサイズとなる。そのため、スレーブ再生端末５０（６０、７０）の再生領域値に基づいて、スレーブ５０（６０、７０）再生領域映像を切り出し、このスレーブ５０（６０、７０）再生領域映像とナビゲーション映像とを、表示部５６へ送る。さらに、復号部５５は、復号化したナビゲーション映像から、選択領域情報、再生領域情報、再生領域値に基づき、再生端末毎の再生領域を切り出し、さらにサムネイル化し、マスタ再生端末４０、スレーブ再生端末５０（６０、７０）の該サムネイル映像を表示部５６に送る（ステップ７４４）。
【００８９】
次に、図１９を参照して、本実施形態に係る映像分割再生方法の続きを説明する。
一方、送信部５３は、ステップ７４２において同期再生制御部５２から受け取った再生開始実行通知信号を、ネットワーク（Ｂ）３１を介してマスタ再生端末４０へ送る（ステップ７４５）。
次に、マスタ再生端末４０において、受信部４４は、スレーブ再生端末５０（６０、７０）からネットワーク（Ｂ）３１を介して再生開始実行通知信号を受け取り、受け取った再生開始実行通知を、同期再生制御部４２へ送る（ステップ７４６）。
【００９０】
この同期再生制御部４２は、受信部４４から再生開始実行通知を受け取る、この同期再生制御部４２は、全てのスレーブ再生端末５０（６０、７０）から再生開始実行通知信号を受信したか否かを判定する。全てのスレーブ再生端末５０（６０、７０）から再生開始実行通知信号を受信した場合、同期再生制御部４２は、復号部４５に対して、一時保存されている符号化映像データの復号化を開始することを示す復号化開始指示信号を出力するとともに、受信部４４へ符号化データの復号部４５へ送信開始を示す送信開始信号を送る。受信部４４は、送信開始信号を受け取ると、復号部４５へ復号化データの送信を開始する（ステップ７４７）。
【００９１】
マスタ再生端末４０において、復号部４５は、同期再生制御部４２から復号化開始指示信号を受け取ると、マスタ記憶部４７に保存されているマスタ再生端末識別子と、再生設定ファイルに記載されている選択領域情報およびマルチビュー再生ファイルの分割数とに基づき、選択領域におけるマスタ再生端末４０の再生担当領域の位置を示す再生領域情報を作成する。
例えば、マスタ再生端末４０のマスタ記憶部４７には、マスタ再生端末識別子“０”が保存されている。また、マスタ記憶部４７には、初期選択領域情報（Ｘ、Ｙ、幅、高さ）＝（３００，７００，２６００，１０００）、あるいは相対座標で表わした相対座標値（０．０７５，０．３５，０．６５，０．５）と、マルチビュー再生ファイルの分割数｛縦分割数＝２、横分割数＝２｝が記載されている。よって、同期再生制御部４２は、初期選択領域情報（３００，７００，２６００，１０００）、あるいは相対座標で表わした相対座標値（０．０７５，０．３５，０．６５，０．５）によって示される選択領域Ｓ１を４分割した場合、マスタ再生端末識別子“０”に対応する領域が選択領域Ｓ１において左上側の領域であることを示す再生領域情報を作成する。なお、初期選択領域情報、分割数、およびスレーブ再生端末識別子の組み合わせに応じた再生領域は、予め決められており、これらの関係性を示す情報はプログラムとして事前に復号部４５に搭載されている。
さらに、復号部４５は、初期選択領域情報（３００，７００，２６００，１０００）、あるいは相対座標で表わした相対座標値（０．０７５，０．３５，０．６５，０．５）と、マスタ再生端末４０の再生領域情報から、マスタ再生端末４０に対応する第１ディスプレイ再生担当領域Ｒ１１を示す再生領域値を算出する。
例えば、マスタ再生端末４０の同期再生制御部４２は、マスタ再生端末４０に対応する第１ディスプレイ再生担当領域Ｒ１１を示す再生領域値（３００，７００，１３００，５００）を算出する（ステップ７４８）。
【００９２】
復号部４５は、初期選択領域情報（３００，７００，２６００，１０００）、あるいは相対座標で表わした相対座標値（０．０７５，０．３５，０．６５，０．５）と、ステップ７４８において算出したマスタ再生端末４０の再生領域値とに基づき、復号化映像データに含まれるメイン符号化映像データの復号化と、ナビゲーション符号化映像データの復号化を、１ＧＯＰ単位で並列して開始する。なお、マスタ再生端末４０において、ナビゲーション符号化映像データを表示しない場合、メイン符号化映像データの復号化のみを開始する。
【００９３】
初期選択領域情報と再生領域値とに基づいて復号化したメイン映像は、図１０に示すマスタ再生領域より大きいサイズとなる。そのため、マスタ再生端末４０の再生領域値に基づいて、マスタ再生領域映像を切り出し、このマスタ再生領域映像とナビゲーション映像とを、表示部５６へ送る。さらに、復号部４５は、復号化したナビゲーション映像から、選択領域情報、再生領域情報、再生領域値に基づき、再生端末毎の再生領域を切り出し、さらにサムネイル化し、マスタ再生端末４０、スレーブ再生端末５０（６０、７０）の該サムネイル映像を表示部４６に送る（ステップ７４９）。
【００９４】
ここで、マスタ再生端末４０の操作手段（図示せず）において、ユーザの操作によりメイン映像あるいはナビゲーション映像の選択領域を変更する操作が入力された場合、再生要求部４１は、同期再生制御部４２に対して、変更後の選択領域を示す変更後選択領域情報を送る。同期再生制御部４２は、受け取った変更後選択領域情報を復号部４５へ送る（ステップ７５０）。
なお、再生要求部４１は、ユーザ操作により選択領域を変更する操作が入力された場合に、選択領域情報を同期再生制御部４２へ送る。例えば、この選択領域を変更する操作として、キーボードの「→」キーをユーザが１回押下することにより、再生要求部４１は、画面内の画像を矢印の方向にＮピクセル動かすという操作を受け付ける。つまり、再生要求部４１は、選択領域情報として、現在の選択領域情報の各値を矢印の方向にＮピクセル動かした場合の選択領域情報を生成し、同期再生制御部４２に送る。
また、ユーザによって「→」キーが押下され続けた場合、再生要求部４１は、連続して選択領域を変更する操作を入力する。
同期再生制御部４２は、選択領域情報を送信部４３へ送る。また、同期再生制御部４２は、選択領域情報を復号部４５に送る。送信部４３は、同期再生制御部４２から選択領域情報を受け取ったタイミングで、スレーブ再生端末５０（６０、７０）にそれぞれ受け取った選択領域情報を送信する。
【００９５】
ここで、図２３を参照して、選択領域を変更する操作が入力されたタイミングとマスタ再生端末４０がスレーブ再生端末５０（６０、７０）に選択領域情報を送信するタイミングについて、説明する。図２３は、本実施形態において、選択領域情報の送信タイミングについて説明するための図である。
同期再生制御部４２は、内蔵するタイマーで選択領域情報が入力する時間間隔を計時しながら、再生要求部４１からの次の選択領域情報の入力があるか否かを判定する。この同期再生制御部４２は、再生要求部４１から現在指定されている選択領域情報を入力した時点から第１指定時間以内に次の選択領域情報を入力するか否かを判定する。なお、本実施形態において、第１指定時間とは、例えば、１フレームの長さに相当する時間であって、３３ｍｓｅｃである。
再生要求部４１から現在指定されている選択領域情報を入力した時点から第１指定時間未満に次の選択領域情報を入力した場合、同期再生制御部４２は、再生要求部４１から現在指定されている選択領域情報を入力した時点から第１指定時間後に、次の選択領域情報を送信部４３と復号部４５に出力する。
例えば、ユーザが「→」キーを押下し続けた場合、選択領域を変更する操作が連続して再生要求部４１に入力される。この場合、再生要求部４１は、１フレーム（３３ｍｓｅｃ）未満の間隔で、変更後の選択領域情報を連続して同期再生制御部４２に出力する。この同期再生制御部４２は、再生が開始されるとタイマーを開始し、受け取った順に連続して再生要求部４１から受け取った選択領域情報を第１指定時間（３３ｍｓｅｃ）毎に送信部４３と復号部４５へ送る。つまり、同期再生制御部４２は、３３ｍｓｅｃの間隔で、選択領域情報を送信部４３と復号部４５に出力する。よって、送信部４３は、３３ｍｓｅｃの間隔で、選択領域情報をスレーブ再生端末５０（６０、７０）に送信する。
【００９６】
一方、再生要求部４１から現在指定されている選択領域情報を入力した時点から第１指定時間が経過した場合、同期再生制御部４２は、再生要求部４１から現在指定されている選択領域情報を入力した時点から第２指定時間以内に次の選択領域情報を入力するか否かを判定する。この第２指定時間とは、第１指定時間よりも長く、例えば、５００ｍｓｅｃである。
再生要求部４１から現在指定されている選択領域情報を入力した時点から第２指定時間未満に次の選択領域情報を入力した場合、同期再生制御部４２は、再生要求部４１から選択領域情報を入力したタイミングでその都度、選択領域情報を送信部４３および復号部４５へ出力する。つまり、ユーザ操作により選択領域を変更する操作が、３３ｍｓｅｃ以上５００ｍｓｅｃ未満の間隔で入力された場合、送信部４３は、同期再生制御部４２から選択領域情報を入力したタイミングでその都度、選択領域情報をスレーブ再生端末５０（６０、７０）に送信する。
【００９７】
一方、再生要求部４１から現在指定されている選択領域情報を入力した時点から第２指定時間以上に次の選択領域情報が入力されない場合、同期再生制御部４２は、再生要求部４１から現在指定されている選択領域情報を入力した時点から第２指定時間後に、現在指定されている選択領域情報を送信部４３と復号部４５に出力する。
つまり、ユーザ操作により選択領域を変更する操作が入力されない場合、再生要求部４１は、選択領域情報を同期再生制御部４２へ送信しない。そのため、同期再生制御部４２は、選択領域情報を受け取らない。同期再生制御部４２は、５００ｍｓｅｃ以上、選択領域情報を再生要求４１から受け取らない場合、現在指定されている選択領域情報を、第２指定時間（例えば、５００ｍｓｅｃ）毎に、送信部４３と復号部４５へ送る。つまり、第２指定時間以上、ユーザ操作により選択領域を変更する操作が入力されない場合、送信部４３は、再生要求部４１から現在指定されている選択領域情報を入力した時点から第２指定時間後に、現在指定されている選択領域情報をスレーブ再生端末５０（６０、７０）に送信する。
このように、ユーザ操作により、選択領域を変更する操作が入力されたタイミングに応じて、同期再生制御部４２が選択領域情報を送信部４３と復号部４５に送信する間隔が異なる。ユーザ操作による入力がない場合の方が、選択領域を変更した場合よりも、選択領域情報を送信する間隔を長く取る。
【００９８】
復号部４５は、変更後選択領域情報を同期再生制御部４２から受け取り、受け取った変更後選択領域情報と、現在再生しているメイン映像（あるいはナビゲーション映像）に対して指定されている選択領域を示す選択領域情報（以下、変更前選択領域情報という）と比較する。この変更後選択領域情報が示す領域と、変更前選択領域情報が示す領域が一致しない場合、復号部４５は、受け取った変更後選択領域情報と、各再生端末４０、５０（６０、７０）の再生領域情報から、新たに各再生端末の再生領域値を作成する。
【００９９】
なお、復号部４５による変更後選択領域情報への切り替えは、今復号化しているフレームの次のフレームからとなる。復号部４５は、受け取った変更後選択領域情報と、マスタ再生端末４０の再生領域情報とに基づき、メイン符号化映像データの復号化と、ナビゲーション符号化映像データとの復号化とを、１ＧＯＰ単位で並列して開始する。変更後選択領域情報と再生領域値とに基づいて復号化したメイン映像は、図１０に示すマスタ再生領域より大きいサイズとなる。そのため、マスタ再生端末４０の新しい再生領域値に基づいて、マスタ再生領域映像を切り出し、このマスタ再生領域映像とナビゲーション映像とを、表示部４６へ送る。さらに、復号化したナビゲーション映像から、変更後選択領域情報と再生領域情報、新再生領域値に基づいて、再生端末毎の再生領域を切り出し、さらにサムネイル化し、マスタ再生端末４０、スレーブ再生端末５０（６０、７０）の該サムネイル映像を表示部４６に送る（ステップ７５１）。
【０１００】
次に、図２０を参照して、本実施形態に係る映像分割再生方法の続きを説明する。
マスタ再生端末４０において、同期再生制御部４２は、指定時間毎に、変更後選択領域情報を復号部４５から受け取り、受け取った変更後選択領域情報を送信部４３へ出力する（ステップ７５２）。この送信部４３は、受け取った変更後選択領域情報をネットワーク（Ｂ）３１を介して、全てのスレーブ再生端末５０、６０、７０に送信する（ステップ７５３）。
【０１０１】
スレーブ再生端末５０（６０、７０）において、受信部５４は、マスタ再生端末４０から変更後選択領域情報をネットワーク（Ｂ）３１を介して受け取り、受け取った変更後選択領域情報を同期再生制御部５２へ出力する（ステップ７５４）。
この同期再生制御部５２は、変更後選択領域情報を受け取ると、復号部５５へ変更後選択領域情報を出力する（ステップ７５５）。
【０１０２】
復号部５５は、受け取った変更後選択領域情報と今再生している変更前選択領域情報と比較する。この変更後選択領域情報が示す領域と、変更前選択領域情報が示す領域が一致しない場合、復号部５５は、受け取った変更後選択領域情報と、各スレーブ再生端末５０（６０、７０）の再生領域情報に基づき、それぞれ、スレーブ再生端末５０（６０、７０）に対応する第２〜４ディスプレイ再生担当領域Ｒ１２〜１４を示す新たに再生領域値を算出する。
なお、復号部５５による変更後選択領域情報への切り替えは、今復号化しているフレームの次のフレームからとなる。復号部５５は、受け取った変更後選択領域情報と、スレーブ再生端末５０（６０、７０）のそれぞれの自端末の再生領域情報とに基づき、メイン符号化映像データの復号化と、ナビゲーション符号化映像データとの復号化を、１ＧＯＰ単位で並列して開始する。変更後選択領域情報と再生領域情報とに基づいて復号化したメイン映像は、図１０に示すスレーブ再生領域より大きいサイズとなる。そのため、スレーブ再生端末５０（６０、７０）の新しい再生領域値に基づいて、それぞれのスレーブ再生領域映像を切り出し、このスレーブ再生領域映像とナビゲーション映像とを、表示部５６へ送る。さらに、復号化したナビゲーション映像から、選択領域情報と再生領域情報、新再生領域値に元づいて、再生端末毎の再生領域を切り出し、さらにサムネイル化し、マスタ再生端末４０、スレーブ再生端末５０（６０、７０）の該サムネイル映像を表示部５６に送る（ステップ７５６）。
【０１０３】
マスタ再生端末４０において、復号部４５は、指定時間毎にその時の再生時間を確認する。メイン映像とナビゲーション映像は並列して復号化しているため、どちらの再生時間を用いてもよい。復号部４５は、確認した再生時間を示す再生時間情報を同期再生制御部４２へ出力する（ステップ７５７）。
同期再生制御部４２は、復号部４５から受け取った再生時間情報を送信部４３へ出力する（ステップ７５８）。この送信部４３は、同期再生制御部４２から受け取った再生時間情報を、ネットワーク（Ｂ）３１を介して、スレーブ再生端末５０（６０、７０）に送信する（ステップ７５９）。
【０１０４】
次に、図２１を参照して、本実施形態に係る映像分割再生方法の続きを説明する。
スレーブ再生端末５０（６０、７０）において、受信部５４は、マスタ再生端末４０から再生時間情報をネットワーク（Ｂ）３１を介して受け取り、受け取った再生時間情報を同期再生制御部５２へ出力する（ステップ７６０）。なお、スレーブ再生端末５０（６０、７０）は、マスタ再生端末４０からの再生時間に必ず合わせる必要はなく、例えば、他のスレーブ再生端末５０（６０、７０）から受け取った再生時間情報を同期再生制御部５２へ出力するものであってもよい。なお、マスタ再生端末４０も、スレーブ再生端末５０、スレーブ再生端末６０、およびスレーブ再生端末７０のいずれから受け取った再生時刻情報を同期再生制御部４２へ出力してもよい。
この同期再生制御部５２は、受け取った再生時間情報を復号部５５へ出力する（ステップ７６１）。
復号部５５は、同期再生制御部５２から受け取った再生時間情報が示す再生時間とスレーブ再生端末５０（６０、７０）が比較するその時に表示部５６に表示されるコンテンツ映像の再生時間とを比較し、同じならばそのまま再生する。スレーブ再生端末５０（６０、７０）が進んでいた場合は、進んでいた時間分を停止する。スレーブ再生端末５０（６０、７０）が遅れていた場合、遅れていた時間分を早送りして再生する（ステップ７６２）。
【０１０５】
マスタ再生端末４０において、再生要求部４１は同期再生制御部４２へ再生停止を送る（ステップ７６３）。
同期再生制御部４２は、再生停止を送信部４３へ送る。また、復号部４５へ再生停止を送る。受信部４４へ符号化映像データの送信停止を送る（ステップ７６４）。
送信部４３は、同期再生制御部４２から再生停止を受け取ると、ネットワーク（Ｂ）３１を介して、各スレーブ再生端末５０、６０、７０へ再生停止を送信する。また、送信部４３は、配信サーバ２０へ配信停止をネットワーク（Ａ）３０を介して送る（ステップ７６５）。
【０１０６】
マスタ再生端末４０の受信部４４は、同期再生制御部４２から符号化映像データ送信停止を受けとると、復号部４５へ符号化映像データ送信を停止する（ステップ７６６）。
復号部４４は、復号化を停止し、表示部４６へ再生停止を送る。表示部４６は、再生を停止する（ステップ７６７）。
スレーブ再生端末５０（６０、７０）において、受信部５４は、マスタ再生端末４０から再生停止をネットワーク（Ｂ）３１を介して受け取り、受け取った再生停止を同期再生制御部５２へ出力する（ステップ７６８）。
【０１０７】
次に、図２２を参照して、本実施形態に係る映像分割再生方法の続きを説明する。
同期再生制御部５２は、復号部５５へ再生停止を送る。受信部５４へ符号化映像データ送信停止を送る。送信部５３へ配信停止を送る（ステップ７６９）。
送信部５３は、同期再生制御部５２から配信停止を受け取ると、配信サーバ２０へ配信停止をネットワーク（Ａ）３０を介して送信する（ステップ７７０）。
受信部５４は、同期再生制御部５２から符号化映像データ送信停止を受けとると、復号部５５への符号化で映像データ送信を停止する（ステップ７７１）。
復号部５５は、同期再生制御部５２から再生停止を受け取ると、復号化を停止し、表示部５６へ再生停止を送る。表示部５６は、再生を停止する（ステップ７７２）。
【０１０８】
上記構成により、本実施形態に係る映像分割再生システムは、解像度が高い映像を表示する場合であっても、映像を分割し、複数のディスプレイにより構成されるマルチ画面に分割した映像を表示させることにより、各再生端末の処理負荷を軽減させることができる。また、処理負荷が大きく１台の再生端末では再生が不可能な高解像度映像であっても、本実施形態に係る映像分割再生システムにより、複数のディスプレイにおいて分割した映像を同期して再生することができる。
また、上述の通り、高解像度コンテンツを配信する配信サーバ２０と、マスタ再生端末４０、スレーブ再生端末５０、スレーブ再生端末６０、およびスレーブ再生端末７０とは、広範囲に接続される広域ネットワークＡを介して接続されている。また、スレーブ再生端末５０、スレーブ再生端末６０、およびスレーブ再生端末７０は、特定の建物内、敷地内の限られた範囲内の限定範囲ネットワークＢを介して接続される。
よって、本実施形態に係る映像分割再生システムは、コンテンツ映像の分割処理を、限定範囲ネットワークＢの範囲で行うことができる。
【０１０９】
＜第２実施形態＞
また、本発明に係る再生端末は、上記構成に限られず、図２３に示すようなメイン再生端末８０やサブ再生端末９０を備えるシステムであってもよい。本実施形態は、選択映像を分割せずに、メイン再生端末８０とサブ再生端末９０において、同一の選択映像を表示させる点が、第１実施形態と異なる。
このメイン再生端末８０は、例えば、サブ再生端末９０の動作を制御するリモコンである。サブ再生端末９０は、例えば、テレビ等である。よって、サブ再生端末９０の表示部９６の方が、メイン再生端末８０の表示部８６の画面よりも大きくかつ解像度も高い。
【０１１０】
なお、図２４に示す通り、メイン再生端末８０は、マスタ再生端末４０と同様の構成である再生要求部８１と、同期再生制御部８２と、送信部８３と、受信部８４と、復号部８５と、表示部８６と、記憶部８７を含む。なお、各構成については、マスタ再生端末４０の再生要求部４１と、同期再生制御部４２と、送信部４３と、受信部４４と、復号部４５と、表示部４６と、マスタ記憶部４７と同様であるため、詳細な説明は省略する。
ここで、メイン再生端末８０は、例えば、選択領域情報を相対座標値でサブ再生端末９０へ送る。メイン再生端末８０は、相対座標値の選択領域情報に基づき、復号化、再生をする。なお、メイン再生端末８０は、マスタ再生端末４０と異なり、再生領域情報を生成しない。
また、サブ再生端末９０は、スレーブ再生端末５０（６０、７０）と同様の構成である同期再生制御部９２と、送信部９３と、受信部９４と、復号部９５と、表示部９６と、記憶部９７とを含む。なお、各構成については、スレーブ再生端末５０（６０、７０）のスレーブ再生端末５０は、同期再生制御部５２と、送信部５３と、受信部５４と、復号部５５と、表示部５６と、スレーブ記憶部５７と同様であるため、詳細な説明は省略する。
ここで、サブ再生端末９０は、例えば、選択領域情報を相対座標値でメイン再生端末８０から受信すると、現在復元しているフレームの次のフレームから受け取った相対座標値の選択領域情報に基づき、復号化、再生をする。なお、サブ再生端末９０は、スレーブ再生端末５０（６０、７０）と異なり、再生領域情報を生成しない。
このように、メインディスプレイとサブディスプレイの解像度が異なる場合であっても、選択された同じ領域（映像）を示す選択映像を、メイン再生端末８０のメインディスプレイには低解像度に、サブ再生端末９０のサブディスプレイには高解像度に、それぞれ表示することができる。
【０１１１】
図２５、２６は、本実施形態に係る映像分割再生システムによる処理について説明するためのシーケンス図である。具体的には、配信要求から再生開始処理、ユーザ操作選択領域の分割再生処理、再生停止までの処理について説明するためのシーケンス図である。
図２５に示すシーケンスについて、以下説明する。
１．メイン再生端末８０は、サブ再生端末９０とＴＣＰ／ＩＰ接続する。メイン再生端末８０は、ユーザから入力されたコンテンツＵＲＬを配信サーバ２０へ送る。メイン再生端末８０は、配信サーバ２０から、コンテンツＵＲＬに対応する符号化映像データと再生設定ファイルを受信して、再生設定ファイルを記憶部８７に保存する。ここでは、メイン再生端末８０の符号化映像データの再生開始は、まだ実行しない。なお、メイン再生端末８０は、符号化映像データの受信を開始するが、受信バッファ残量から配信制御を行うことにより、受信バッファが溢れる事態を回避している。配信サーバ２０は、符号化映像データをメイン再生端末８０に対してストリーム配信している。
【０１１２】
２．メイン再生端末８０は、コンテンツＵＲＬをサブ再生端末９０に対して送信する。サブ再生端末９０は、メイン再生端末８０からコンテンツＵＲＬを受信する。
３．サブ再生端末９０は、コンテンツＵＲＬを配信サーバ２０へ送る。サブ再生端末９０は、配信サーバ２０から、コンテンツＵＲＬに対応する符号化映像データと再生設定ファイルを受信して、再生設定ファイルを記憶部９７に保存する。ここでは、サブ再生端末９０の符号化映像データの再生開始は、まだ実行しない。なお、サブ再生端末９０は、符号化映像データの受信を開始するが、受信バッファ残量から配信制御を行うことにより、受信バッファが溢れる事態を回避している。配信サーバ２０は、符号化映像データをサブ再生端末９０に対してストリーム配信している。
【０１１３】
４．サブ再生端末９０は、受信開始通知をメイン再生端末８０へ送信する。
５．メイン再生端末８０は、サブ再生端末９０から受信開始通知を受け取ると、受信部８４から符号化映像データを１ＧＯＰ復号部８５に出力する。また、メイン再生端末８０は、記憶部８７から読み出した再生設定ファイルを復号部８５に出力する。
６．そして、メイン再生端末８０は、サブ再生端末９０に対して、再生準備を通知する。
【０１１４】
７．サブ再生端末９０は、メイン再生端末８０から再生準備を受け取ると、受信部９４から符号化映像データを１ＧＯＰ復号部９５に出力する。また、サブ再生端末９０は、記憶部９７から読み出した再生設定ファイルを復号部９５に出力する。
８．サブ再生端末９０は、メイン再生端末８０へ再生準備完了を通知する。
９．メイン再生端末８０は、サブ再生端末９０から再生準備完了を受け取ると、サブ再生端末９０に対して再生開始を通知する。
【０１１５】
１０．サブ再生端末９０は、再生開始を受け取ると、復号部９５が、再生設定ファイルに記載されている初期選択領域情報に基づき、対応するメイン映像の復号化、再生を開始する。また、サブ再生端末９０は、ナビゲーション映像を再生開始してもよい。
【０１１６】
１１．サブ再生端末９０は、再生開始実行をメイン再生端末８０へ通知する。
１２．メイン再生端末８０は、サブ再生端末９０から再生開始実行を受け取ると、復号部８５が、再生設定ファイルに記載されている初期選択領域情報に基づき、対応するメイン映像の復号化、再生を開始する。また、メイン再生端末８０は、ナビゲーション映像の再生を開始してもよい。
【０１１７】
次に、図２６に示すシーケンスについて、以下説明する。
ここで、メイン再生端末８０に対して、ユーザが選択領域の変更を指示する。
１３．メイン再生端末８０は、ユーザが指定する変更後の選択領域の位置を示す新選択領域情報に基づき、対応するメイン映像の復号化、再生を行う。また、メイン再生端末８０は、ナビゲーション映像を再生してもよい。
【０１１８】
１４．メイン再生端末８０は、指定時間毎に、サブ再生端末９０に対して新選択領域情報を送信する。
１５．サブ再生端末９０は、メイン再生端末８０から新選択領域情報を受け取る。そして、サブ再生端末９０は、受け取った新選択領域情報に基づき、メイン映像の復号化、再生を行う。サブ再生端末９０は、ナビゲーション映像を再生してもよい。
【０１１９】
１６．メイン再生端末８０は、指定時間毎に再生時間を確認する。このメイン再生端末８０は、再生時間を示す情報（以下、再生時間情報という）をサブ再生端末９０に送信する。この再生時間情報とは、コンテンツ映像を再生する順番を映像の再生時間によって表わす情報である。
１７．サブ再生端末９０は、受け取ったメイン再生端末８０の再生時間情報が示す再生時間に、自身が表示するコンテンツ映像の再生時間を合わせる。なお、再生時間問い合わせは、サブ再生端末９０からメイン再生端末８０へ再生時間情報を送信して、メイン再生端末８０が、サブ再生端末９０の再生時間に合わせてもよい。
１８．メイン再生端末８０が再生停止を実行すると、メイン再生端末８０は、サブ再生端末９０に対して再生停止を通知する。
１９．そして、サブ再生端末９０は、再生停止を受信する。
２０．メイン再生端末８０は、配信サーバ２０へ配信停止を送信する。
２１．メイン再生端末８０は再生を停止する。
２２．サブ再生端末９０は、配信サーバ２０へ配信停止を送信する。
２３．サブ再生端末９０は、再生を停止する。
【０１２０】
また、本実施形態に係る映像分割再生システムに係る映像分割再生方法は、再生端末と配信サーバは広域ネットワークを介して接続され、配信サーバからは符号化映像データを再生端末へ配信し、再生端末はマスタ再生端末とスレーブ再生端末に分類し、スレーブ再生端末はマスタ再生端末の支配下に置かれ、マスタ再生端末とスレーブ再生端末は限られた範囲内のネットワークで接続し、マスタ再生端末が選択領域情報をスレーブ再生端末へ送信し、マスタ再生端末の再生時間にスレーブ再生端末の再生時間を合わせ、一画像を複数の再生端末に分割して同期して再生を行う方法であって、マスタ再生端末は配信サーバにマルチビュー再生ファイルの配信要求し、マスタ再生端末は、受信したマルチビュー再生ファイルをマスタ再生端末復号部へ送るとともに、マルチビュー再生ファイルの中に記載されているコンテンツＵＲＬの符号化映像データの配信要求を配信サーバに行い、マスタ再生端末は符号化映像データと再生設定ファイルを受信すると、マスタ再生端末は、マスタ再生端末が配信要求したマルチビュー再生ファイルＵＲＬを全スレーブ再生端末に通知し、スレーブ再生端末は、マスタ再生端末から受け取ったマルチビュー再生ファイルの配信要求を配信サーバに送信し、スレーブ再生端末は、受信したマルチビュー再生ファイルをスレーブ再生端末復号部へ送るとともに、マルチビュー再生ファイルの中に記載されているコンテンツＵＲＬの符号化映像データの配信要求を配信サーバに行い、スレーブ再生端末は符号化映像データと再生設定ファイルを受信すると、マスタ再生端末へ符号化映像データ受信開始を通知し、マスタ再生端末は、全スレーブ端末から符号化映像データ受信開始通知を受け取ると、マスタ再生端末の復号部に符号化映像データを１ＧＯＰ送るとともに再生設定ファイルを復号部へ送り、マスタ再生端末は、再生準備を全スレーブ再生端末に通知し、スレーブ再生端末は、再生準備を受け取るとスレーブ再生端末の復号部に符号化映像データを１ＧＯＰ送るとともに再生設定ファイルを復号部へ送り、さらに、マスタ再生端末へ再生準備完了を通知する。
【０１２１】
マスタ再生端末は、全てのスレーブ再生端末から再生準備完了通知を受け取ると、全てのスレーブ再生端末へ再生開始を通知し、スレーブ再生端末は、再生開始通知を受け取ると、分割数、初期注視領域情報、スレーブ再生端末識別子を基に再生領域情報と再生領域値を作成し、初期選択領域情報と再生領域情報に基づいてメイン符号化映像データの担当する領域の復号化を開始し、さらに再生領域値を基づいて担当する分割映像を切り出し、メイン映像の担当する分割映像を再生開始する。さらに、マスタ再生端末へ再生開始実行を通知する。
マスタ再生端末は、全てのスレーブ再生端末から再生開始実行通知を受け取ると、分割数、初期注視領域情報、スレーブ再生端末識別子を基に再生領域情報と再生領域値を作成し、初期選択領域情報と再生領域情報に基づいてメイン符号化映像データの担当するマスタ領域の復号化を開始し、さらに再生領域値を基づいて担当するマスタ分割映像を切り出し、メイン映像の担当するマスタ分割映像を再生開始する。
以上のことにより、マスタ再生端末と全スレーブ再生端末間で分割メイン映像を同期して再生することができる。
【０１２２】
また、本実施形態に係る映像分割再生システムに係る映像分割再生方法は、再生端末と配信サーバは広域ネットワークを介して接続され、配信サーバからは符号化映像データを再生端末へ配信し、再生端末はマスタ再生端末とスレーブ再生端末に分類し、スレーブ再生端末はマスタ再生端末の支配下に置かれ、マスタ再生端末とスレーブ再生端末は限られた範囲内のネットワークで接続し、マスタ再生端末が選択領域情報をスレーブ再生端末へ送信し、マスタ再生端末の再生時間にスレーブ再生端末の再生時間を合わせ、一画像を複数の再生端末に分割して同期して再生を行う方法であって、マスタ再生端末表示部にストリーム再生中の映像上から選択領域を変更し、マスタ再生端末は、指定時間毎に前記変更した選択領域の選択領域情報を全スレーブ再生端末へ送信し、マスタ再生端末と全スレーブ再生端末は、前記選択領域情報と再生領域情報を基に新たに再生領域値を作成し、今復号化している次のフレームから、前記選択領域情報と再生領域情報に基づいて担当するメイン符号化映像データの復号化を行い、さらに前記再生領域値を基に担当する分割映像を切り出し、メイン映像の担当する分割映像を再生する。
以上のことにより、マスタ再生端末と全スレーブ再生端末間で分割メイン映像を同期して再生することができる。
【０１２３】
また、本実施形態に係る映像分割再生システムに係る映像分割再生方法は、再生端末と配信サーバは広域ネットワークを介して接続され、配信サーバからは符号化映像データを再生端末へ配信し、再生端末はマスタ再生端末とスレーブ再生端末に分類し、スレーブ再生端末はマスタ再生端末の支配下に置かれ、マスタ再生端末とスレーブ再生端末は限られた範囲内のネットワークで接続し、マスタ再生端末が選択領域情報をスレーブ再生端末へ送信し、マスタ再生端末の再生時間にスレーブ再生端末の再生時間を合わせ、一画像を複数の再生端末に分割して同期して再生を行う方法であって、マスタ再生端末は、指定時間毎にその時の再生時間を確認し、マスタ再生端末は確認した再生時間を示す再生時間情報を全スレーブ再生端末に送信し、スレーブ再生端末は、受け取った再生時間情報が示す再生時間情報と比較する時のスレーブ再生端末の再生時間とを比較し、比較結果がマスタ再生端末と再生時間が同じならば、そのまま再生を続け、また、比較結果がマスタ再生端末より再生遅れの場合、遅れている時間分だけ早送りして再生し、また、比較結果がマスタ再生端末より再生が進んでいる場合、先に進んでいる時間分再生を停止する。
以上の事によりマスタ再生端末と全スレーブ再生端末間で分割メイン映像を同期して再生することができる。
【０１２４】
なお、上述の配信サーバ２０、マスタ再生端末４０、スレーブ再生端末５０、スレーブ再生端末６０、およびスレーブ再生端末７０は、内部にコンピュータシステムを有している。そして、配信サーバ２０、マスタ再生端末４０、スレーブ再生端末５０、スレーブ再生端末６０、およびスレーブ再生端末７０の動作の過程は、プログラムの形式でコンピュータ読み取り可能な記録媒体に記憶されており、このプログラムをコンピュータシステムが読み出して実行することによって、上記処理が行われる。ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
【０１２５】
また、各ステップを実現するためのプログラムをコンピュータ読み取り可能な記録媒体に記録して、また、配信サーバ２０、マスタ再生端末４０、スレーブ再生端末５０、スレーブ再生端末６０、およびスレーブ再生端末７０はこの機能を実現するためのプログラムをコンピュータ読み取り可能な記録媒体に記録して、この記録媒体に記録されたプログラムをコンピュータシステムに読み込ませ、実行することにより、各処理を行ってもよい。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１２６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【符号の説明】
【０１２７】
２０・・・配信サーバ、２１・・・受信部、２２・・・再生データ保存部、２３・・・送信部、２４・・・サーバ制御部、４０・・・マスタ再生端末、４１・・・再生要求部、４２・・・同期再生制御部、４３・・・送信部、４４・・・受信部、４５・・・復号部、４６・・・表示部、４７・・・マスタ記憶部、５０・・・スレーブ再生端末、５２・・・同期再生制御部、５３・・・送信部、５４・・・受信部、５５・・・復号部、５６・・・表示部、５７・・・スレーブ記憶部、６０・・・スレーブ再生端末、７０・・・スレーブ再生端末
【図１】
0005461454.tif 000002
【図２】
0005461454.tif 000003
【図３】
0005461454.tif 000004
【図４】
0005461454.tif 000005
【図５】
0005461454.tif 000006
【図６】
0005461454.tif 000007
【図７】
0005461454.tif 000008
【図８】
0005461454.tif 000009
【図９】
0005461454.tif 000010
【図１０】
0005461454.tif 000011
【図１１】
0005461454.tif 000012
【図１２】
0005461454.tif 000013
【図１３】
0005461454.tif 000014
【図１４】
0005461454.tif 000015
【図１５】
0005461454.tif 000016
【図１６】
0005461454.tif 000017
【図１７】
0005461454.tif 000018
【図１８】
0005461454.tif 000019
【図１９】
0005461454.tif 000020
【図２０】
0005461454.tif 000021
【図２１】
0005461454.tif 000022
【図２２】
0005461454.tif 000023
【図２３】
0005461454.tif 000024
【図２４】
0005461454.tif 000025
【図２５】
0005461454.tif 000026
【図２６】
0005461454.tif 000027